(57)【要約】  本願は、予め設定された時間周期でのブラインド検出の最大回数に基づいて複数の異なるスケジューリング周期でブラインド検出が実行され得るように、通信方法、端末デバイス、およびネットワークデバイスを提供する。それにより、ブラインド検出による端末デバイスのエネルギー消費を削減し、ブラインド検出の複雑性を軽減するのに役立つ。方法は、端末デバイスが第１時間単位でのブラインド検出の最大回数を決定する段階であって、第１時間単位は１つまたは複数のシンボルである、段階と、端末デバイスがｉ番目のブラインド検出機会に物理ダウンリンク制御チャネル・ブラインド検出を実行する段階であって、第１時間単位はＮ回のブラインド検出機会を含み、Ｎ回のブラインド検出機会に端末デバイスにより実行される物理ダウンリンク制御チャネル・ブラインド検出の回数が、ブラインド検出の最大回数より少ないか等しい、段階とを含み、ｉおよびＮは正の整数であり、ｉ≦Ｎであり、Ｎ≧２である。
2020533834.tif 000002
【特許請求の範囲】
【請求項１】
通信方法であって、
端末デバイスが第１時間単位でのブラインド検出の最大回数を決定する段階であって、前記第１時間単位は１つまたは複数のシンボルである、段階と、
前記端末デバイスがｉ番目のブラインド検出機会に物理ダウンリンク制御チャネル・ブラインド検出を実行する段階であって、前記第１時間単位はＮ回のブラインド検出機会を含み、前記Ｎ回のブラインド検出機会に前記端末デバイスにより実行される物理ダウンリンク制御チャネル・ブラインド検出の回数が、前記ブラインド検出の最大回数より少ないか等しい、段階と
を備え、
ｉおよびＮは正の整数であり、ｉ≦Ｎであり、Ｎ≧２である、
方法。
【請求項２】
前記端末デバイスが構成情報を受信する段階を更に備え、前記構成情報は、前記第１時間単位内の各ブラインド検出機会におけるブラインド検出の回数を決定するために使用される、
請求項１に記載の方法。
【請求項３】
前記端末デバイスが前記ｉ番目のブラインド検出機会に物理ダウンリンク制御チャネル・ブラインド検出を実行する前記段階は、
前記端末デバイスが第１情報に基づいて前記ｉ番目のブラインド検出機会に物理ダウンリンク制御チャネル・ブラインド検出を実行する段階を有し、前記第１情報は、制御リソースセットの構成情報、探索空間タイプ、ダウンリンク制御情報の形式、前記ダウンリンク制御情報に対応する集約レベル、および、同じ集約レベルの複数の物理ダウンリンク制御チャネル候補の開始制御チャネル要素のシリアル番号のうちの少なくとも１つを含む、
請求項１または２に記載の方法。
【請求項４】
前記第１情報は前記制御リソースセットの構成情報を含み、複数の制御リソースセットが前記ｉ番目のブラインド検出機会に分配され、
前記端末デバイスが物理ダウンリンク制御チャネルの構成情報に基づいて前記ｉ番目のブラインド検出機会に物理ダウンリンク制御チャネル・ブラインド検出を実行する前記段階は、
前記端末デバイスが前記ｉ番目のブラインド検出機会に前記複数の制御リソースセットの優先順位に基づいて前記複数の制御リソースセット上で物理ダウンリンク制御チャネル・ブラインド検出を実行する段階
を含む、
請求項３に記載の方法。
【請求項５】
前記第１情報は前記制御リソースセットの前記構成情報を含み、前記制御リソースセットは２つのスロットに跨らない、請求項３または４に記載の方法。
【請求項６】
前記第１情報は前記探索空間タイプを含み、
前記端末デバイスが第１情報に基づいて前記ｉ番目のブラインド検出機会に物理ダウンリンク制御チャネル・ブラインド検出を実行する前記段階は、
前記端末デバイスが前記ｉ番目のブラインド検出機会に探索空間タイプの優先度に基づいて複数の探索空間で物理ダウンリンク制御チャネル・ブラインド検出を実行する段階を含み、前記探索空間タイプは、共通探索空間およびユーザ固有探索空間を含む、
請求項３から５の何れか一項に記載の方法。
【請求項７】
前記共通探索空間の優先度が前記ユーザ固有探索空間の優先度より高い、請求項６に記載の方法。
【請求項８】
前記第１情報は前記ダウンリンク制御情報の前記形式を含み、前記ｉ番目のブラインド検出機会には複数のダウンリンク制御情報形式があり、
前記端末デバイスが第１情報に基づいて前記ｉ番目のブラインド検出機会に物理ダウンリンク制御チャネル・ブラインド検出を実行する前記段階は、
前記端末デバイスが前記複数のダウンリンク制御情報形式の優先度に基づいて前記ｉ番目のブラインド検出機会に物理ダウンリンク制御チャネル・ブラインド検出を実行する段階
を含む、
請求項３から７の何れか一項に記載の方法。
【請求項９】
前記第１情報は前記集約レベルを含み、前記ｉ番目のブラインド検出機会にブラインド検出されるのを待つダウンリンク制御情報に対応する集約レベルが複数あり、
前記端末デバイスが第１情報に基づいて前記ｉ番目のブラインド検出機会に物理ダウンリンク制御チャネル・ブラインド検出を実行する前記段階は、
前記端末デバイスが前記集約レベルに基づいて前記ｉ番目のブラインド検出機会に物理ダウンリンク制御チャネル・ブラインド検出を実行する段階
を含む、
請求項３から８の何れか一項に記載の方法。
【請求項１０】
前記第１情報は、前記複数の物理ダウンリンク制御チャネル候補の前記開始制御チャネル要素のシリアル番号を含み、前記ｉ番目のブラインド検出機会にブラインド検出されるのを待つダウンリンク制御情報に対応する同じ集約レベルの物理ダウンリンク制御チャネル候補が複数あり、
前記端末デバイスが第１情報に基づいて前記ｉ番目のブラインド検出機会に物理ダウンリンク制御チャネル・ブラインド検出を実行する前記段階は、
前記端末デバイスが前記同じ集約レベルの前記複数の物理ダウンリンク制御チャネル候補の前記開始制御チャネル要素のシリアル番号に基づいて前記ｉ番目のブラインド検出機会に物理ダウンリンク制御チャネル・ブラインド検出を実行する段階
を含む、
請求項３から９の何れか一項に記載の方法。
【請求項１１】
前記ブラインド検出の最大回数は予め定義されている、請求項１から１０の何れか一項に記載の方法。
【請求項１２】
前記Ｎ回のブラインド検出機会の何れか２つにおける物理ダウンリンク制御チャネル・ブラインド検出の回数は同じである、または、
前記Ｎ回のブラインド検出機会のうちの少なくとも２つにおける物理ダウンリンク制御チャネル・ブラインド検出の回数は異なる、
請求項１から１１の何れか一項に記載の方法。
【請求項１３】
通信方法であって、
ネットワークデバイスが構成情報を送信する段階であって、前記構成情報は、第１時間単位内のＮ回のブラインド検出機会の各々におけるブラインド検出の回数を示すために使用され、前記第１時間単位は１つまたは複数のシンボルであり、前記第１時間単位は前記Ｎ回のブラインド検出機会を含み、Ｎは正の整数であり、Ｎ≧２である、段階と、
前記ネットワークデバイスがｉ番目のブラインド検出機会に少なくとも１つの物理ダウンリンク制御チャネルを送信する段階であって、ｉは正の整数であり、ｉ≦Ｎである、段階と
を備える方法。
【請求項１４】
前記ネットワークデバイスが前記ｉ番目のブラインド検出機会に少なくとも１つの物理ダウンリンク制御チャネルを送信する前記段階は、
前記ネットワークデバイスが第１情報に基づいて前記ｉ番目のブラインド検出機会に前記少なくとも１つの物理ダウンリンク制御チャネルを送信する段階を有し、前記第１情報は、制御リソースセットの構成情報、探索空間タイプ、ダウンリンク制御情報の形式、前記ダウンリンク制御情報に対応する集約レベル、および、同じ集約レベルの複数の物理ダウンリンク制御チャネル候補の開始制御チャネル要素のシリアル番号のうちの少なくとも１つを含む、
請求項１３に記載の方法。
【請求項１５】
前記第１情報は前記制御リソースセットの構成情報を含み、複数の制御リソースセットが前記ｉ番目のブラインド検出機会に分配され、
前記ネットワークデバイスが前記ｉ番目のブラインド検出機会に少なくとも１つの物理ダウンリンク制御チャネルを送信する前記段階は、
前記ネットワークデバイスが前記複数の制御リソースセットの優先度に基づいて前記ｉ番目のブラインド検出機会に、利用可能な制御リソースセットを選択し、前記利用可能な制御リソースセットを使用することにより前記少なくとも１つの物理ダウンリンク制御チャネルを送信する段階
を有する、
請求項１３に記載の方法。
【請求項１６】
前記第１情報は前記制御リソースセットの前記構成情報を含み、前記制御リソースセットは２つのスロットに跨らない、請求項１４または１５に記載の方法。
【請求項１７】
前記第１情報は前記探索空間タイプを含み、
前記ネットワークデバイスが前記ｉ番目のブラインド検出機会に少なくとも１つの物理ダウンリンク制御チャネルを送信する前記段階は、
前記ネットワークデバイスが前記ｉ番目のブラインド検出機会に探索空間タイプの優先度に基づいて、利用可能な探索空間を選択し、前記利用可能な探索空間を使用することにより前記少なくとも１つの物理ダウンリンク制御チャネルを送信する段階を有し、前記探索空間タイプは、共通探索空間およびユーザ固有探索空間を含む、
請求項１４から１６の何れか一項に記載の方法。
【請求項１８】
前記共通探索空間の優先度が前記ユーザ固有探索空間の優先度より高い、請求項１７に記載の方法。
【請求項１９】
前記第１情報は前記ダウンリンク制御情報の前記形式を含み、複数のダウンリンク制御情報形式が、前記ｉ番目のブラインド検出機会に送信されるのを待ち、
前記ネットワークデバイスが前記ｉ番目のブラインド検出機会に少なくとも１つの物理ダウンリンク制御チャネルを送信する前記段階は、
前記ネットワークデバイスが前記複数のダウンリンク制御情報形式の優先度に基づいて前記ｉ番目のブラインド検出機会に前記少なくとも１つの物理ダウンリンク制御チャネルを送信する段階
を有する、
請求項１４から１８の何れか一項に記載の方法。
【請求項２０】
前記第１情報は前記集約レベルを含み、前記ｉ番目のブラインド検出機会には、同じダウンリンク制御情報形式について複数の集約レベルが構成され、
前記ネットワークデバイスが前記ｉ番目のブラインド検出機会に少なくとも１つの物理ダウンリンク制御チャネルを送信する前記段階は、
前記ネットワークデバイスが、前記ｉ番目のブラインド検出機会に、前記同じダウンリンク制御情報形式に対応する前記複数の集約レベルに基づいて、利用可能な集約レベルを選択し、前記利用可能な集約レベルを使用することにより前記少なくとも１つの物理ダウンリンク制御チャネルを送信する段階
を有する、
請求項１４から１９の何れか一項に記載の方法。
【請求項２１】
前記第１情報は前記同じ集約レベルの前記複数の物理ダウンリンク制御チャネル候補の前記開始制御チャネル要素の前記シリアル番号を含み、前記ｉ番目のブラインド検出機会にブラインド検出されるのを待つダウンリンク制御情報に対応する同じ集約レベルの物理ダウンリンク制御チャネル候補が複数あり、
前記ネットワークデバイスが前記ｉ番目のブラインド検出機会に少なくとも１つの物理ダウンリンク制御チャネルを送信する前記段階は、
前記ネットワークデバイスが前記複数の物理ダウンリンク制御チャネル候補の前記開始制御チャネル要素の前記シリアル番号に基づいて、利用可能な物理ダウンリンク制御チャネル候補を決定し、前記利用可能な物理ダウンリンク制御チャネル候補を使用することにより前記少なくとも１つの物理ダウンリンク制御チャネルを送信する段階
を有する、
請求項１４から２０の何れか一項に記載の方法。
【請求項２２】
端末デバイスであって、
第１時間単位でのブラインド検出の最大回数を決定するように構成される決定モジュールであって、前記第１時間単位は１つまたは複数のシンボルである、決定モジュールと、
ｉ番目のブラインド検出機会に物理ダウンリンク制御チャネル・ブラインド検出を実行するように構成されるブラインド検出モジュールであって、前記第１時間単位はＮ回のブラインド検出機会を含み、前記Ｎ回のブラインド検出機会に前記ブラインド検出モジュールにより実行される物理ダウンリンク制御チャネル・ブラインド検出の回数が前記ブラインド検出の最大回数より少ないか等しい、ブラインド検出モジュールと
を備え、
ｉおよびＮは正の整数であり、ｉ≦Ｎであり、Ｎ≧２である、
端末デバイス。
【請求項２３】
前記端末デバイスは更に、構成情報を受信するように構成される受信モジュールであって、前記構成情報は、前記第１時間単位内の各ブラインド検出機会におけるブラインド検出の回数を決定するために使用される、受信モジュールを備える、請求項２２に記載の端末デバイス。
【請求項２４】
前記ブラインド検出モジュールは具体的に、第１情報に基づいて前記ｉ番目のブラインド検出機会に物理ダウンリンク制御チャネル・ブラインド検出を実行するように構成され、前記第１情報は、制御リソースセットの構成情報、探索空間タイプ、ダウンリンク制御情報の形式、前記ダウンリンク制御情報に対応する集約レベル、および、同じ集約レベルの複数の物理ダウンリンク制御チャネル候補の開始制御チャネル要素のシリアル番号のうちの少なくとも１つを含む、請求項２２または２３に記載の端末デバイス。
【請求項２５】
前記第１情報は前記制御リソースセットの構成情報を含み、複数の制御リソースセットが前記ｉ番目のブラインド検出機会に分配され、
前記ブラインド検出モジュールは具体的に、前記ｉ番目のブラインド検出機会に前記複数の制御リソースセットの優先度に基づいて前記複数の制御リソースセット上で物理ダウンリンク制御チャネル・ブラインド検出を実行するように構成される、
請求項２４に記載の端末デバイス。
【請求項２６】
前記第１情報は前記制御リソースセットの前記構成情報を含み、前記制御リソースセットは２つのスロットに跨らない、請求項２４または２５に記載の端末デバイス。
【請求項２７】
前記第１情報は前記探索空間タイプを含み、
前記ブラインド検出モジュールは具体的に、前記ｉ番目のブラインド検出機会に探索空間タイプの優先度に基づいて複数の探索空間で物理ダウンリンク制御チャネル・ブラインド検出を実行するように構成され、前記探索空間タイプは、共通探索空間およびユーザ固有探索空間を含む、
請求項２４から２６の何れか一項に記載の端末デバイス。
【請求項２８】
前記共通探索空間の優先度が前記ユーザ固有探索空間の優先度より高い、請求項２７に記載の端末デバイス。
【請求項２９】
前記第１情報は前記ダウンリンク制御情報の前記形式を含み、前記ｉ番目のブラインド検出機会には複数のダウンリンク制御情報形式があり、
前記ブラインド検出モジュールは具体的に、前記複数のダウンリンク制御情報形式の優先度に基づいて前記ｉ番目のブラインド検出機会に物理ダウンリンク制御チャネル・ブラインド検出を実行するように構成される、
請求項２４から２８の何れか一項に記載の端末デバイス。
【請求項３０】
前記第１情報は前記集約レベルを含み、前記ｉ番目のブラインド検出機会にブラインド検出されるのを待つダウンリンク制御情報に対応する集約レベルが複数あり、
前記ブラインド検出モジュールは具体的に、前記集約レベルに基づいて前記ｉ番目のブラインド検出機会に物理ダウンリンク制御チャネル・ブラインド検出を実行するように構成される、
請求項２４から２９の何れか一項に記載の端末デバイス。
【請求項３１】
前記第１情報は前記複数の物理ダウンリンク制御チャネル候補の前記開始制御チャネル要素の前記シリアル番号を含み、前記ｉ番目のブラインド検出機会にブラインド検出されるのを待つダウンリンク制御情報に対応する同じ集約レベルの物理ダウンリンク制御チャネル候補が複数あり、
前記ブラインド検出モジュールは具体的に、前記同じ集約レベルの前記複数の物理ダウンリンク制御チャネル候補の前記開始制御チャネル要素のシリアル番号に基づいて前記ｉ番目のブラインド検出機会に物理ダウンリンク制御チャネル・ブラインド検出を実行するように構成される、
請求項２４から３０の何れか一項に記載の端末デバイス。
【請求項３２】
前記ブラインド検出の最大回数は予め定義されている、請求項２２から３１の何れか一項に記載の端末デバイス。
【請求項３３】
前記Ｎ回のブラインド検出機会の何れか２つにおける物理ダウンリンク制御チャネル・ブラインド検出の回数は同じである、または、
前記Ｎ回のブラインド検出機会のうちの少なくとも２つにおける物理ダウンリンク制御チャネル・ブラインド検出の回数は異なる、
請求項２２から３２の何れか一項に記載の端末デバイス。
【請求項３４】
ネットワークデバイスであって、
構成情報を送信するように構成される送信モジュールであって、前記構成情報は、第１時間単位内のＮ回のブラインド検出機会の各々におけるブラインド検出の回数を示すために使用され、前記第１時間単位は１つまたは複数のシンボルであり、前記第１時間単位は前記Ｎ回のブラインド検出機会を含み、Ｎは正の整数であり、Ｎ≧２である、送信モジュール
を備え、
前記送信モジュールは更に、前記Ｎ回のブラインド検出機会のうちのｉ番目のブラインド検出機会に少なくとも１つの物理ダウンリンク制御チャネルを送信するように構成され、ｉは正の整数であり、ｉ≦Ｎである、
ネットワークデバイス。
【請求項３５】
前記送信モジュールは具体的に、第１情報に基づいて前記ｉ番目のブラインド検出機会に前記少なくとも１つの物理ダウンリンク制御チャネルを送信するように構成され、前記第１情報は、制御リソースセットの構成情報、探索空間タイプ、ダウンリンク制御情報の形式、前記ダウンリンク制御情報に対応する集約レベル、および、同じ集約レベルの複数の物理ダウンリンク制御チャネル候補の開始制御チャネル要素のシリアル番号のうちの少なくとも１つを含む、請求項３４に記載のネットワークデバイス。
【請求項３６】
前記第１情報は前記制御リソースセットの構成情報を含み、複数の制御リソースセットが前記ｉ番目のブラインド検出機会に分配され、
前記送信モジュールは具体的に、前記複数の制御リソースセットの優先度の高い順に基づいて前記ｉ番目のブラインド検出機会に、利用可能な制御リソースセットを選択し、前記利用可能な制御リソースセットを使用することにより前記少なくとも１つの物理ダウンリンク制御チャネルを送信するように構成される、
請求項３４に記載のネットワークデバイス。
【請求項３７】
前記第１情報は前記制御リソースセットの前記構成情報を含み、前記制御リソースセットは２つのスロットに跨らない、請求項３５または３６に記載のネットワークデバイス。
【請求項３８】
前記第１情報は前記探索空間タイプを含み、
前記送信モジュールは具体的に、前記ｉ番目のブラインド検出機会に探索空間タイプの優先度に基づいて、利用可能な探索空間を選択し、前記利用可能な探索空間を使用することにより前記少なくとも１つの物理ダウンリンク制御チャネルを送信するように構成され、前記探索空間タイプは、共通探索空間およびユーザ固有探索空間を含む、
請求項３５から３７の何れか一項に記載のネットワークデバイス。
【請求項３９】
前記共通探索空間の優先度が前記ユーザ固有探索空間の優先度より高い、請求項３８に記載のネットワークデバイス。
【請求項４０】
前記第１情報は前記ダウンリンク制御情報の前記形式を含み、複数のダウンリンク制御情報形式が前記ｉ番目のブラインド検出機会に送信される必要があり、
前記送信モジュールは具体的に、前記複数のダウンリンク制御情報形式の優先度に基づいて前記ｉ番目のブラインド検出機会に前記少なくとも１つの物理ダウンリンク制御チャネルを送信するように構成される、
請求項３５から３９の何れか一項に記載のネットワークデバイス。
【請求項４１】
前記第１情報は前記集約レベルを含み、前記ｉ番目のブラインド検出機会には、同じダウンリンク制御情報形式について複数の集約レベルが構成され、
前記送信モジュールは具体的に、前記ｉ番目のブラインド検出機会に、前記同じダウンリンク制御情報形式に対応する前記複数の集約レベルに基づいて、利用可能な集約レベルを選択し、前記利用可能な集約レベルを使用することにより前記少なくとも１つの物理ダウンリンク制御チャネルを送信するように構成される、
請求項３５から４０の何れか一項に記載のネットワークデバイス。
【請求項４２】
前記第１情報は前記同じ集約レベルの前記複数の物理ダウンリンク制御チャネル候補の前記開始制御チャネル要素の前記シリアル番号を含み、前記ｉ番目のブラインド検出機会にブラインド検出されるのを待つダウンリンク制御情報に対応する同じ集約レベルの物理ダウンリンク制御チャネル候補が複数あり、
前記送信モジュールは具体的に、前記複数の物理ダウンリンク制御チャネル候補の前記開始制御チャネル要素のシリアル番号に基づいて、利用可能な物理ダウンリンク制御チャネル候補を決定し、前記利用可能な物理ダウンリンク制御チャネル候補を使用することにより前記少なくとも１つの物理ダウンリンク制御チャネルを送信するように構成される、
請求項３５から４１の何れか一項に記載のネットワークデバイス。
【請求項４３】
命令を記憶するコンピュータ記憶媒体であって、前記命令がコンピュータで実行されると、前記コンピュータに、請求項１から２１の何れか一項に記載の方法を実行させることができる、コンピュータ記憶媒体。
【請求項４４】
コンピュータプログラムコードを備えるコンピュータプログラム製品であって、前記コンピュータプログラムコードがコンピュータで実行されると、前記コンピュータに、請求項１から２１の何れか一項に記載の方法を実行させることができる、コンピュータプログラム製品。
【請求項４５】
コンピュータで実行可能なプログラムコードを記憶するように構成されるメモリと、通信インタフェースと、プロセッサとを備える通信装置であって、前記プロセッサは前記メモリおよび前記通信インタフェースに結合され、前記メモリに記憶された前記プログラムコードは命令を含み、前記プロセッサが前記命令を実行すると、前記通信装置に、請求項１から１２の何れか一項に記載の方法を実行させることができる、通信装置。
【請求項４６】
コンピュータで実行可能なプログラムコードを記憶するように構成されるメモリと、通信インタフェースと、プロセッサとを備える通信装置であって、前記プロセッサは前記メモリおよび前記通信インタフェースに結合され、前記メモリに記憶された前記プログラムコードは命令を含み、前記プロセッサが前記命令を実行すると、前記通信装置に、請求項１３から２１の何れか一項に記載の方法を実行させることができる、通信装置。
【請求項４７】
トランシーバと、プロセッサと、メモリとを備える端末デバイスであって、前記端末デバイスが請求項１から１２の何れか一項に記載の方法を実行するように、前記プロセッサは、前記トランシーバを制御して信号を送受信するように構成され、前記メモリは、コンピュータプログラムを記憶するように構成され、前記プロセッサは、前記メモリから前記コンピュータプログラムを呼び出し、前記コンピュータプログラムを実行するように構成される、端末デバイス。
【請求項４８】
トランシーバと、プロセッサと、メモリとを備えるネットワークデバイスであって、前記ネットワークデバイスが請求項１３から２１の何れか一項に記載の方法を実行するように、前記プロセッサは、前記トランシーバを制御して信号を送受信するように構成され、前記メモリは、コンピュータプログラムを記憶するように構成され、前記プロセッサは、前記メモリから前記コンピュータプログラムを呼び出し、前記コンピュータプログラムを実行するように構成される、ネットワークデバイス。
【発明の詳細な説明】
【技術分野】
【０００１】
本願は、２０１７年９月８日に中国国家知識財産権局に出願された「ＣＯＭＭＵＮＩＣＡＴＩＯＮ  ＭＥＴＨＯＤ，ＴＥＲＭＩＮＡＬ  ＤＥＶＩＣＥ，ＡＮＤ  ＮＥＴＷＯＲＫ  ＤＥＶＩＣＥ」と題する中国特許出願第２０１７１０８０８０５７．８号に対する優先権を主張するものであり、この中国特許出願がそのまま参照により本明細書に組み込まれる。
【０００２】
本願は、通信分野、より具体的には、通信方法、端末デバイス、およびネットワークデバイスに関する。
【背景技術】
【０００３】
ダウンリンク制御情報（ｄｏｗｎｌｉｎｋ  ｃｏｎｔｒｏｌ  ｉｎｆｏｒｍａｔｉｏｎ、ＤＣＩ）は、物理ダウンリンク制御チャネル（ｐｈｙｓｉｃａｌ  ｄｏｗｎｌｉｎｋ  ｃｏｎｔｒｏｌ  ｃｈａｎｎｅｌ、ＰＤＣＣＨ）により搬送され、端末デバイスのリソース構成情報および他の制御情報を搬送するために使用され得る。複数の端末デバイスに送信される複数のＰＤＣＣＨは１つのスケジューリング周期で伝送され得ることから、１つの端末デバイスは、当該複数のＰＤＣＣＨから、当該１つの端末デバイスに送信された１つのＰＤＣＣＨを受信して（具体的には、ブラインド検出するか、またはブラインド復号して）ＤＣＩを取得し、当該ＤＣＩの指示に基づいて、対応するリソース位置で当該１つの端末デバイスの物理ダウンリンク共有チャネル（ｐｈｙｓｉｃａｌ  ｄｏｗｎｌｉｎｋ  ｓｈａｒｅｄ  ｃｈａｎｎｅｌ、ＰＤＳＣＨ）を復調する必要がある。
【０００４】
ロングタームエボリューション（ｌｏｎｇ  ｔｅｒｍ  ｅｖｏｌｕｔｉｏｎ、ＬＴＥ）システムでは、ＰＤＣＣＨを送信するためのスケジューリング周期としてサブフレーム（ｓｕｂｆｒａｍｅ）を使用して、リソーススケジューリングを実行する。ＬＴＥでは更に、１つのサブフレームにおける端末デバイスのブラインド検出の最大回数、例えば４４が定義される。言い換えると、１つのサブフレームにおいて、端末デバイスは、最大回数４４のブラインド検出の後に検出を中断する。言い換えると、ＬＴＥでは、スケジューリング周期がブラインド検出周期と同じである。
【０００５】
ただし、１つのサブフレームをスケジューリング周期の時間長として使用すると、超信頼低遅延通信（ｕｌｔｒａ−ｒｅｌｉａｂｌｅ  ａｎｄ  ｌｏｗ  ｌａｔｅｎｃｙ  ｃｏｍｍｕｎｉｃａｔｉｏｎｓ、ＵＲＬＬＣ）など、遅延に関する要件が比較的高い幾つかのサービスの要件を満たせないことがある。従って、サービスタイプに基づいてスケジューリング周期を柔軟に調整して、端末デバイスのリソーススケジューリングを実行できる、例えば、スロットをスケジューリング周期として使用することによりスケジューリングを実行できる、または、シンボルをスケジューリング周期として使用することによりスケジューリングを実行できると予想される。
【０００６】
ただし、比較的短いスケジューリング周期（例えば、ミニスロット（ｍｉｎｉ−ｓｌｏｔ））を有する端末デバイスについて、同じブラインド検出の最大回数に基づいて全てのスケジューリング周期でブラインド検出が実行される場合は、端末デバイスが１つのスロットで実行する必要があるブラインド検出の回数が乗算される。これによって、ブラインド検出による端末デバイスのエネルギー消費が大幅に増大し、端末デバイスのブラインド検出の複雑性が増大し得る。
【発明の概要】
【０００７】
本願は、予め設定された時間周期でのブラインド検出の最大回数に基づいて複数の異なるスケジューリング周期でブラインド検出が実行され得るように、通信方法、端末デバイス、およびネットワークデバイスを提供する。それにより、ブラインド検出による端末デバイスのエネルギー消費を削減し、端末デバイスのブラインド検出の複雑性を軽減するのに役立つ。
【０００８】
第１態様によれば、通信方法が提供される。方法は、端末デバイスが第１時間単位でのブラインド検出の最大回数を決定する段階であって、第１時間単位は１つまたは複数のシンボルである、段階と、端末デバイスがｉ番目のブラインド検出機会に物理ダウンリンク制御チャネル・ブラインド検出を実行する段階であって、第１時間単位はＮ回のブラインド検出機会を含み、Ｎ回のブラインド検出機会に端末デバイスにより実行される物理ダウンリンク制御チャネル・ブラインド検出の回数が、ブラインド検出の最大回数より少ないか等しい、段階とを含み、ｉおよびＮは正の整数であり、ｉ≦Ｎであり、Ｎ≧２である。
【０００９】
上述の技術的解決策によれば、端末デバイスは、第１時間単位でのブラインド検出の最大回数に基づいて複数のブラインド検出機会にブラインド検出を実行してよく、その結果、同じブラインド検出の最大回数に基づいて複数の異なるスケジューリング周期でブラインド検出が実行され得る。更に、ネットワークデバイスが端末デバイスに複数の物理ダウンリンク制御チャネルを送信する場合は、端末デバイスは、複数の異なるスケジューリング周期に基づいて別々にブラインド検出を実行する必要がない。これは、ブラインド検出による端末デバイスのエネルギー消費を削減し、端末デバイスのブラインド検出の複雑性を軽減するのに役立つ。
【００１０】
オプションとして、第１時間単位は１つのスロットである。
【００１１】
第１態様との関連で、第１態様の幾つかの実装では、方法は更に、端末デバイスが構成情報を受信する段階を含み、構成情報は、第１時間単位内の各ブラインド検出機会におけるブラインド検出の回数を決定するために使用される。
【００１２】
端末デバイスは、構成情報に基づいて第１時間単位内のＮ回のブラインド検出機会の各々におけるブラインド検出の回数を決定して、ブラインド検出の回数に基づいてＮ回のブラインド検出機会に物理ダウンリンク制御チャネル・ブラインド検出を連続的に実行してよい。
【００１３】
各ブラインド検出機会におけるブラインド検出の回数は、ネットワークデバイスにより構成され、かつ、各ダウンリンク制御情報形式に対応する、集約レベルと、各集約レベルの物理ダウンリンク制御チャネル候補の数とに基づいて決定されてもよいし、ブラインド検出の最大回数と、第１時間単位でのブラインド検出機会の数とに基づいて端末デバイスにより決定されてもよい。
【００１４】
第１態様との関連で、第１態様の幾つかの実装では、端末デバイスがｉ番目のブラインド検出機会に物理ダウンリンク制御チャネル・ブラインド検出を実行する段階は、端末デバイスが第１情報に基づいてｉ番目のブラインド検出機会に物理ダウンリンク制御チャネル・ブラインド検出を実行する段階を含み、第１情報は、制御リソースセットの構成情報、探索空間タイプ、ダウンリンク制御情報の形式、ダウンリンク制御情報に対応する集約レベル、および、同じ集約レベルの複数の物理ダウンリンク制御チャネル候補の開始制御チャネル要素のシリアル番号のうちの少なくとも１つを含む。
【００１５】
第１情報は構成情報から取得されてもよいし、予め定義されてもよいことを理解されたい。これについては本願では限定しない。
【００１６】
更に、端末デバイスは、上述の要因のうちの少なくとも１つに基づいてｉ番目のブラインド検出機会にブラインド検出を実行してよい。このように、端末デバイスがブラインド検出を実行する順序は、複数の異なるシナリオに適用可能となるよう、複数の異なる要因に基づいて複数の異なる観点から決定され得る。
【００１７】
オプションとして、第１情報は制御リソースセットの構成情報を含み、複数の制御リソースセットがｉ番目のブラインド検出機会に分配され、端末デバイスが物理ダウンリンク制御チャネルの構成情報に基づいてｉ番目のブラインド検出機会に物理ダウンリンク制御チャネル・ブラインド検出を実行する段階は、端末デバイスがｉ番目のブラインド検出機会に複数の制御リソースセットの優先度の高い順に基づいて複数の制御リソースセット上で物理ダウンリンク制御チャネル・ブラインド検出を連続的に実行する段階を含む。
【００１８】
オプションとして、第１情報は探索空間タイプを含み、端末デバイスが第１情報に基づいてｉ番目のブラインド検出機会に物理ダウンリンク制御チャネル・ブラインド検出を実行する段階は、端末デバイスがｉ番目のブラインド検出機会に探索空間タイプの優先順位に基づいて複数の探索空間で物理ダウンリンク制御チャネル・ブラインド検出を連続的に実行する段階を含み、探索空間タイプは、共通探索空間およびユーザ固有探索空間を含む。
【００１９】
オプションとして、第１情報はダウンリンク制御情報の形式を含み、ｉ番目のブラインド検出機会には複数のダウンリンク制御情報形式があり、端末デバイスが第１情報に基づいてｉ番目のブラインド検出機会に物理ダウンリンク制御チャネル・ブラインド検出を実行する段階は、端末デバイスが複数のダウンリンク制御情報形式の優先順位に基づいてｉ番目のブラインド検出機会に物理ダウンリンク制御チャネル・ブラインド検出を連続的に実行する段階を含む。
【００２０】
オプションとして、第１情報は集約レベルを含み、ｉ番目のブラインド検出機会にブラインド検出されるのを待つダウンリンク制御情報に対応する集約レベルが複数あり、端末デバイスが第１情報に基づいてｉ番目のブラインド検出機会に物理ダウンリンク制御チャネル・ブラインド検出を実行する段階は、端末デバイスが、集約レベルの低い順または高い順に基づいてｉ番目のブラインド検出機会に物理ダウンリンク制御チャネル・ブラインド検出を実行する段階を含む。
【００２１】
オプションとして、第１情報は、複数の物理ダウンリンク制御チャネル候補の開始制御チャネル要素のシリアル番号を含み、ｉ番目のブラインド検出機会にブラインド検出されるのを待つダウンリンク制御情報に対応する同じ集約レベルの物理ダウンリンク制御チャネル候補が複数あり、端末デバイスが第１情報に基づいてｉ番目のブラインド検出機会に物理ダウンリンク制御チャネル・ブラインド検出を実行する段階は、端末デバイスが同じ集約レベルの複数の物理ダウンリンク制御チャネル候補の開始制御チャネル要素のシリアル番号の大きい順または小さい順に基づいてｉ番目のブラインド検出機会に物理ダウンリンク制御チャネル・ブラインド検出を実行する段階を含む。
【００２２】
従って、ネットワークデバイスは、上述の規則のうちの何れか１つまたは複数に従って複数のブラインド検出機会に少なくとも１つの物理ダウンリンク制御チャネルを送信してよく、端末デバイスは、上述の規則のうちの当該１つまたは複数に従ってブラインド検出を実行してよい。ネットワークデバイスおよび端末デバイスがそれぞれ同じ規則に従って物理ダウンリンク制御チャネルを送信し、ブラインド検出を実行する場合は、端末デバイスは、ブラインド検出の最大回数の限度内で、ネットワークデバイスにより送信された物理ダウンリンク制御チャネルを検出することができる。これによって、端末デバイスの検出漏れを回避できるだけでなく、ブラインド検出による端末デバイスのエネルギー消費を削減し、ブラインド検出の複雑性を軽減することもできる。
【００２３】
第２態様によれば、通信方法が提供される。方法は、ネットワークデバイスが構成情報を送信する段階であって、構成情報は、第１時間単位内のＮ回のブラインド検出機会の各々におけるブラインド検出の回数を示すために使用され、第１時間単位は１つまたは複数のシンボルであり、第１時間単位はＮ回のブラインド検出機会を含み、Ｎは正の整数であり、Ｎ≧２である、段階と、ネットワークデバイスがｉ番目のブラインド検出機会に少なくとも１つの物理ダウンリンク制御チャネルを送信する段階であって、ｉは正の整数であり、ｉ≦Ｎである、段階とを含む。
【００２４】
上述の技術的解決策によれば、ネットワークデバイスは端末デバイスに構成情報を送信し、その結果、端末デバイスは、第１時間単位内のＮ回のブラインド検出機会の各々におけるブラインド検出の回数を決定して、Ｎ回のブラインド検出機会にブラインド検出を実行する。従って、端末デバイスは、同じブラインド検出の最大回数に基づいて複数の異なるスケジューリング周期でブラインド検出を実行することができる。更に、ネットワークデバイスが端末デバイスに複数の物理ダウンリンク制御チャネルを送信する場合は、端末デバイスは、複数の異なるスケジューリング周期に基づいて別々にブラインド検出を実行する必要がない。これは、ブラインド検出による端末デバイスのエネルギー消費を削減し、端末デバイスのブラインド検出の複雑性を軽減するのに役立つ。
【００２５】
オプションとして、第１時間単位は１つのスロットである。
【００２６】
第２態様との関連で、第２態様の幾つかの実装では、ネットワークデバイスがｉ番目のブラインド検出機会に少なくとも１つの物理ダウンリンク制御チャネルを送信する段階は、ネットワークデバイスが第１情報に基づいてｉ番目のブラインド検出機会に少なくとも１つの物理ダウンリンク制御チャネルを送信する段階を含み、第１情報は、制御リソースセットの構成情報、探索空間タイプ、ダウンリンク制御情報の形式、ダウンリンク制御情報に対応する集約レベル、および、同じ集約レベルの複数の物理ダウンリンク制御チャネル候補の開始制御チャネル要素のシリアル番号のうちの少なくとも１つを含む。
【００２７】
オプションとして、第１情報は制御リソースセットの構成情報を含み、複数の制御リソースセットがｉ番目のブラインド検出機会に分配され、ネットワークデバイスがｉ番目のブラインド検出機会に少なくとも１つの物理ダウンリンク制御チャネルを送信する段階は、ネットワークデバイスが複数の制御リソースセットの優先度の高い順に基づいてｉ番目のブラインド検出機会に、利用可能な制御リソースセットを選択し、当該利用可能な制御リソースセットを使用することにより少なくとも１つの物理ダウンリンク制御チャネルを送信する段階を含む。
【００２８】
ネットワークデバイスは、上述の要因のうちの少なくとも１つに基づいてＮ回のブラインド検出機会に少なくとも１つの物理ダウンリンク制御チャネルを送信してよい。このように、物理ダウンリンク制御チャネルの送信順序は、複数の異なるシナリオに適用可能となるよう、複数の異なる要因に基づいて複数の異なる観点から決定され得る。
【００２９】
オプションとして、第１情報は探索空間タイプを含み、ネットワークデバイスがｉ番目のブラインド検出機会に少なくとも１つの物理ダウンリンク制御チャネルを送信する段階は、ネットワークデバイスが探索空間タイプの優先順位に基づいてｉ番目のブラインド検出機会に、利用可能な探索空間を選択し、当該利用可能な探索空間を使用することにより少なくとも１つの物理ダウンリンク制御チャネルを送信する段階を含む。
【００３０】
オプションとして、第１情報はダウンリンク制御情報の形式を含み、複数のダウンリンク制御情報形式がｉ番目のブラインド検出機会に送信される必要があり、ネットワークデバイスがｉ番目のブラインド検出機会に少なくとも１つの物理ダウンリンク制御チャネルを送信する段階は、ネットワークデバイスが複数のダウンリンク制御情報形式の優先順位に基づいてｉ番目のブラインド検出機会に少なくとも１つの物理ダウンリンク制御チャネルを連続的に送信する段階を含む。
【００３１】
オプションとして、第１情報は集約レベルを含み、ｉ番目のブラインド検出機会には、同じダウンリンク制御情報形式について複数の集約レベルが構成され、ネットワークデバイスが、ｉ番目のブラインド検出機会に少なくとも１つの物理ダウンリンク制御チャネルを送信する段階は、ネットワークデバイスが、ｉ番目のブラインド検出機会に、同じダウンリンク制御情報形式に対応する複数の集約レベルの高い順または低い順に基づいて、利用可能な集約レベルを選択し、利用可能な集約レベルを使用することにより少なくとも１つの物理ダウンリンク制御チャネルを送信する段階を含む。
【００３２】
オプションとして、第１情報は同じ集約レベルの複数の物理ダウンリンク制御チャネル候補の開始制御チャネル要素のシリアル番号を含み、ｉ番目のブラインド検出機会にブラインド検出されるのを待つダウンリンク制御情報に対応する同じ集約レベルの物理ダウンリンク制御チャネル候補が複数あり、ネットワークデバイスがｉ番目のブラインド検出機会に少なくとも１つの物理ダウンリンク制御チャネルを送信する段階は、ネットワークデバイスが複数の物理ダウンリンク制御チャネル候補の開始制御チャネル要素のシリアル番号の小さい順または大きい順に基づいて、利用可能な物理ダウンリンク制御チャネル候補を決定し、利用可能な物理ダウンリンク制御チャネル候補を使用することにより少なくとも１つの物理ダウンリンク制御チャネルを送信する段階を含む。
【００３３】
従って、ネットワークデバイスは、上述の規則のうちの何れか１つまたは複数に従って複数のブラインド検出機会に少なくとも１つの物理ダウンリンク制御チャネルを送信してよく、端末デバイスは、上述の規則のうちの当該１つまたは複数に従ってブラインド検出を実行してよい。ネットワークデバイスおよび端末デバイスがそれぞれ同じ規則に従って物理ダウンリンク制御チャネルを送信し、ブラインド検出を実行する場合は、端末デバイスは、ブラインド検出の最大回数の限度内で、ネットワークデバイスにより送信された物理ダウンリンク制御チャネルを検出することができる。これによって、端末デバイスの検出漏れを回避できるだけでなく、ブラインド検出による端末デバイスのエネルギー消費を削減し、ブラインド検出の複雑性を軽減することもできる。
【００３４】
第３態様によれば、端末デバイスが提供される。端末デバイスは、第１態様の方法設計における端末デバイスを実装するための機能を有する。これらの機能は、ハードウェアを使用することにより実装されてもよいし、対応するソフトウェアをハードウェアにより実行することによって実装されてもよい。ハードウェアまたはソフトウェアは、これらの機能に対応する１つまたは複数のユニットを含む。
【００３５】
第４態様によれば、ネットワークデバイスが提供される。ネットワークデバイスは、第２態様の方法設計におけるネットワークデバイスを実装するための機能を有する。これらの機能は、ハードウェアを使用することにより実装されてもよいし、対応するソフトウェアをハードウェアにより実行することによって実装されてもよい。ハードウェアまたはソフトウェアは、これらの機能に対応する１つまたは複数のユニットを含む。
【００３６】
第５態様によれば、端末デバイスが提供される。端末デバイスは、トランシーバと、プロセッサと、メモリとを含む。プロセッサは、トランシーバを制御して信号を送受信するように構成され、メモリは、コンピュータプログラムを記憶するように構成され、プロセッサは、メモリからコンピュータプログラムを呼び出し、コンピュータプログラムを実行するように構成され、その結果、端末デバイスは第１態様の方法を実行する。
【００３７】
第６態様によれば、ネットワークデバイスが提供される。ネットワークデバイスは、トランシーバと、プロセッサと、メモリとを含む。プロセッサは、トランシーバを制御して信号を送受信するように構成され、メモリは、コンピュータプログラムを記憶するように構成され、プロセッサは、メモリからコンピュータプログラムを呼び出し、コンピュータプログラムを実行するように構成され、その結果、ネットワークデバイスは第２態様の方法を実行する。
【００３８】
第７態様によれば、通信装置が提供される。通信装置は、上述の方法設計における端末デバイス、または、当該端末デバイスに設置されるチップであってよい。通信装置は、コンピュータで実行可能なプログラムコードを記憶するように構成されるメモリと、通信インタフェースと、プロセッサとを含む。プロセッサはメモリおよび通信インタフェースに結合される。メモリに記憶されたプログラムコードは命令を含む。プロセッサが命令を実行すると、第１態様、または第１態様の考えられる設計のうちの何れか１つにおける端末デバイスにより実行される方法を通信装置に実行させることができる。
【００３９】
第８態様によれば、通信装置が提供される。通信装置は、上述の方法設計におけるネットワークデバイス、または、当該ネットワークデバイスに設置されるチップであってよい。通信装置は、コンピュータで実行可能なプログラムコードを記憶するように構成されるメモリと、通信インタフェースと、プロセッサとを含む。プロセッサはメモリおよび通信インタフェースに結合される。メモリに記憶されたプログラムコードは命令を含む。プロセッサが命令を実行すると、第２態様、または第２態様の考えられる設計のうちの何れか１つにおけるネットワークデバイスにより実行される方法を通信装置に実行させることができる。
【００４０】
第９態様によれば、コンピュータプログラム製品が提供される。コンピュータプログラム製品はコンピュータプログラムコードを含む。コンピュータプログラムコードがコンピュータで実行されると、上述の態様における方法をコンピュータに実行させることができる。
【００４１】
第１０態様によれば、コンピュータ可読媒体が提供される。コンピュータ可読媒体はコンピュータプログラムコードを記憶する。コンピュータプログラムコードがコンピュータで実行されると、上述の態様における方法をコンピュータに実行させることができる。
【００４２】
第１１態様によれば、チップが提供される。チップはプロセッサとメモリとを含む。メモリは、コンピュータプログラムを記憶するように構成され、プロセッサは、メモリからコンピュータプログラムを呼び出し、コンピュータプログラムを実行するように構成され、コンピュータプログラムは、上述の態様における方法を実装するために使用される。
【００４３】
幾つかの考えられる実装では、構成情報は、各ブラインド検出機会における少なくとも１つのダウンリンク制御情報ＤＣＩ形式、各ＤＣＩ形式に対応する集約レベル、同じ集約レベルの複数の物理ダウンリンク制御チャネル候補の数、第１時間単位でのブラインド検出機会の数Ｎ、および、各ブラインド検出機会におけるブラインド検出の合計回数のうちの少なくとも１つを含む。
【００４４】
幾つかの考えられる実装では、制御リソースセットは１つのスロットに周期的に分配され、任意の２つのスロットにおける制御リソースセットが同じ開始位置および同じ持続時間を有する。
【００４５】
幾つかの考えられる実装では、制御リソースセットは１つのスロットに周期的に分配され、少なくとも２つのスロットにおける制御リソースセットが異なる開始位置および／または異なる持続時間を有する。
【００４６】
幾つかの考えられる実装では、１つの制御リソースセットが１つのスロットにある。言い換えると、１つの制御リソースセットが２つのスロットに跨ることはない。
【００４７】
幾つかの考えられる実装では、共通探索空間の優先度がユーザ固有探索空間の優先度より高い。
【図面の簡単な説明】
【００４８】
【図１】本願のある実施形態に係る通信方法が適用可能である通信システムの概略図である。
【００４９】
【図２】本願のある実施形態に係る通信方法の概略フローチャートである。
【００５０】
【図３】ブラインド検出周期の概略図である。
【００５１】
【図４】制御リソースセット構成の概略図である。
【００５２】
【図５】制御リソースセット構成の別の概略図である。
【００５３】
【図６】制御リソースセット構成の更に別の概略図である。
【００５４】
【図７】制御リソースセット構成の更に別の概略図である。
【００５５】
【図８】ブラインド検出周期の別の概略図である。
【００５６】
【図９】本願のある実施形態に係る端末デバイスの概略ブロック図である。
【００５７】
【図１０】本願のある実施形態に係る端末デバイスの概略構造図である。
【００５８】
【図１１】本願のある実施形態に係るネットワークデバイスの概略ブロック図である。
【００５９】
【図１２】本願のある実施形態に係るネットワークデバイスの概略構造図である。
【発明を実施するための形態】
【００６０】
以下では、添付の図面を参照しながら本願の技術的解決策について説明する。
【００６１】
本願の複数の実施形態における技術的解決策は、グローバルシステム・フォー・モバイルコミュニケーションズ（ｇｌｏｂａｌ  ｓｙｓｔｅｍ  ｆｏｒ  ｍｏｂｉｌｅ  ｃｏｍｍｕｎｉｃａｔｉｏｎｓ、ＧＳＭ（登録商標））システム、符号分割多元接続（ｃｏｄｅ  ｄｉｖｉｓｉｏｎ  ｍｕｌｔｉｐｌｅ  ａｃｃｅｓｓ、ＣＤＭＡ）システム、広帯域符号分割多元接続（ｗｉｄｅｂａｎｄ  ｃｏｄｅ  ｄｉｖｉｓｉｏｎ  ｍｕｌｔｉｐｌｅ  ａｃｃｅｓｓ、ＷＣＤＭＡ（登録商標））システム、汎用パケット無線サービス（ｇｅｎｅｒａｌ  ｐａｃｋｅｔ  ｒａｄｉｏ  ｓｅｒｖｉｃｅ、ＧＰＲＳ）システム、ロングタームエボリューション（ＬＴＥ）システム、ＬＴＥ周波数分割複信（ｆｒｅｑｕｅｎｃｙ  ｄｉｖｉｓｉｏｎ  ｄｕｐｌｅｘ、ＦＤＤ）システム、ＬＴＥ時分割複信（ｔｉｍｅ  ｄｉｖｉｓｉｏｎ  ｄｕｐｌｅｘ、ＴＤＤ）システム、ユニバーサル移動体通信システム（ｕｎｉｖｅｒｓａｌ  ｍｏｂｉｌｅ  ｔｅｌｅｃｏｍｍｕｎｉｃａｔｉｏｎ  ｓｙｓｔｅｍ、ＵＭＴＳ）、ワールドワイドインターオペラビリティ・フォー・マイクロウェーブアクセス（ｗｏｒｌｄｗｉｄｅ  ｉｎｔｅｒｏｐｅｒａｂｉｌｉｔｙ  ｆｏｒ  ｍｉｃｒｏｗａｖｅ  ａｃｃｅｓｓ、ＷｉＭＡＸ）通信システム、将来の第５世代（５ｔｈ  ｇｅｎｅｒａｔｉｏｎ、５Ｇ）システム、または新無線（ｎｅｗ  ｒａｄｉｏ、ＮＲ）システムなどの様々な通信システムに適用されてよい。
【００６２】
本願の実施形態を理解し易くするために、まず、図１を参照しながら、本願の実施形態が適用可能である通信システムについて詳細に説明する。図１は、本願のある実施形態における基準信号の送受信方法が適用可能である通信システム１００の概略図である。図１に示す通り、通信システム１００は、ネットワークデバイス１０２と、端末デバイス１０４から１１４とを含んでよい。
【００６３】
ネットワークデバイス１０２は、無線送受信機能を有する任意のデバイス、または、係るデバイスに設置され得るチップであってよいことを理解されたい。デバイスは、以下に限定するわけではないが、基地局（ノードＢ（ＮｏｄｅＢ）など）、進化型ノードＢ（ｅＮｏｄｅＢ）、または第５世代（ｆｉｆｔｈ−ｇｅｎｅｒａｔｉｏｎ、５Ｇ）通信システム）でのネットワークデバイス（伝送ポイント（ｔｒａｎｓｍｉｓｓｉｏｎ  ｐｏｉｎｔ、ＴＰ）、伝送受信ポイント（ｔｒａｎｓｍｉｓｓｉｏｎ  ｒｅｃｅｐｔｉｏｎ  ｐｏｉｎｔ、ＴＲＰ）、基地局、またはスモールセルデバイスなど）、将来の通信システムでのネットワークデバイス、ワイヤレスフィデリティ（ｗｉｒｅｌｅｓｓ  ｆｉｄｅｌｉｔｙ、Ｗｉ−Ｆｉ）システムでのアクセスノード、無線中継ノード、または無線バックホールノード、および同様のものを含む。
【００６４】
ネットワークデバイス１０２は、複数の端末デバイス（例えば、図に示す端末デバイス１０４から１１４）と通信してよい。
【００６５】
端末デバイスは、ユーザ機器（ｕｓｅｒ  ｅｑｕｉｐｍｅｎｔ、ＵＥ）、アクセス端末、加入者ユニット、加入者局、移動局、モバイルコンソール、遠隔局、遠隔端末、モバイルデバイス、ユーザ端末、端末、無線通信デバイス、ユーザエージェント、またはユーザ装置としても見なされ得ることを理解されたい。本願の実施形態における端末デバイスは、携帯電話（ｍｏｂｉｌｅ  ｐｈｏｎｅ）、タブレットコンピュータ（ｐａｄ）、無線送受信機能を有するコンピュータ、仮想現実（ｖｉｒｔｕａｌ  ｒｅａｌｉｔｙ、ＶＲ）端末デバイス、拡張現実（ａｕｇｍｅｎｔｅｄ  ｒｅａｌｉｔｙ、ＡＲ）端末デバイス、産業用制御（ｉｎｄｕｓｔｒｉａｌ  ｃｏｎｔｒｏｌ）での無線端末、自動運転（ｓｅｌｆ  ｄｒｉｖｉｎｇ）での無線端末、遠隔医療（ｒｅｍｏｔｅ  ｍｅｄｉｃａｌ）での無線端末、スマートグリッド（ｓｍａｒｔ  ｇｒｉｄ）での無線端末、輸送安全性（ｔｒａｎｓｐｏｒｔａｔｉｏｎ  ｓａｆｅｔｙ）での無線端末、スマートシティ（ｓｍａｒｔ  ｃｉｔｙ）での無線端末、スマートホーム（ｓｍａｒｔ  ｈｏｍｅ）での無線端末、および同様のものであってよい。適用シナリオについては、本願の実施形態では限定しない。本願では、上述の端末デバイス、および、上述の端末デバイスに設置され得るチップを総じて端末デバイスとして見なす。
【００６６】
加えて、通信システム１００は代替的に、公衆陸上移動体ネットワーク（ｐｕｂｌｉｃ  ｌａｎｄ  ｍｏｂｉｌｅ  ｎｅｔｗｏｒｋ、ＰＬＭＮ）、デバイスツーデバイス（ｄｅｖｉｃｅ−ｔｏ−ｄｅｖｉｃｅ、Ｄ２Ｄ）ネットワーク、マシンツーマシン（ｍａｃｈｉｎｅ−ｔｏ−ｍａｃｈｉｎｅ、Ｍ２Ｍ）ネットワーク、または別のネットワークであってよい。
【００６７】
図１は例として１つのネットワークデバイスおよび複数の端末を示していることを理解されたい。オプションとして、無線通信システム１００は複数のネットワークデバイスを含んでよく、各ネットワークデバイスのカバレッジエリアに別の数の端末があってよい。これについては、本願の実施形態では限定しない。
【００６８】
本願の実施形態を理解し易くするために、以下ではまず、本願の実施形態における幾つかの概念について簡単に説明する。
【００６９】
１．リソース要素（ｒｅｓｏｕｒｃｅ  ｅｌｅｍｅｎｔ、ＲＥ）：リソース要素は、最小のリソース単位であり、時間領域における１つのシンボルに対応してよく、周波数領域における１つのサブキャリアに対応してよい。
【００７０】
２．リソースブロック（ｒｅｓｏｕｒｃｅ  ｂｌｏｃｋ、ＲＢ）：１つのＲＢは、周波数領域で
【数１】
2020533834.tif 000003
個の連続するサブキャリアを占有し、
【数２】
2020533834.tif 000004
は正の整数である。例えば、ＬＴＥプロトコルでは、
【数３】
2020533834.tif 000005
は１２に等しい。本願の実施形態では、周波数領域リソースの観点からのみＲＢが定義されてよい。言い換えると、時間領域でＲＢにより占有される時間領域リソースの数は限定されない。
【００７１】
３．シンボル（ｓｙｍｂｏｌ）：シンボルは時間領域リソースの最小単位である。１つのシンボルの時間長については、本願の実施形態では限定しない。１つのシンボルの長さは、複数の異なるサブキャリア間隔に応じて変化してよい。シンボルは、アップリンクシンボルおよびダウンリンクシンボルを含んでよい。制限ではなく例として、アップリンクシンボルは、シングルキャリア周波数分割多元接続（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ、ＳＣ−ＦＤＭＡ）シンボル、または直交周波数分割多元接続（ｏｒｔｈｏｇｏｎａｌ  ｆｒｅｑｕｅｎｃｙ  ｄｉｖｉｓｉｏｎ  ｍｕｌｔｉｐｌｅｘｉｎｇ、ＯＦＤＭ）シンボルとして見なされてよく、ダウンリンクシンボルはＯＦＤＭシンボルとして見なされてよい。
【００７２】
４．制御チャネル：制御チャネルは、リソーススケジューリング情報および他の制御情報を搬送するために使用され得るチャネルである。例えば、制御チャネルは、ＬＴＥプロトコルで定義されるＰＤＣＣＨまたは拡張物理ダウンリンク制御チャネル（ｅｎｈａｎｃｅｄ  ＰＤＣＣＨ、ＥＰＤＣＣＨ）であってもよいし、上述の機能を有し、かつ、ネットワークの進化に伴って定義される、新無線物理ダウンリンク制御チャネル（ｎｅｗ  ｒａｄｉｏ  ＰＤＣＣＨ、ＮＲＰＤＣＣＨ）または別のダウンリンクチャネルであってもよいし、物理アップリンク制御チャネル（ｐｈｙｓｉｃａｌ  ｕｐｌｉｎｋ  ｃｏｎｔｒｏｌ  ｃｈａｎｎｅｌ、ＰＵＣＣＨ）などのアップリンク制御チャネルであってもよい。説明し易くするために、以下では、物理ダウンリンク制御チャネルを例として使用することにより、本願のある実施形態における制御チャネル伝送方法について詳細に説明する。物理ダウンリンク制御チャネルは、ダウンリンク制御チャネルの一般用語として理解されてよく、以下に限定するわけではないが、上で列挙したダウンリンク制御チャネルを含み得ることを理解されたい。チャネルは信号としても見なされ得る、または別の名前でも呼ばれ得ることを更に理解されたい。これについては、本願の実施形態では特に限定しない。
【００７３】
具体的に言うと、本願の実施形態における物理ダウンリンク制御チャネルは代替的に、セル固有基準信号（ｃｅｌｌ−ｓｐｅｃｉｆｉｃ  ｒｅｆｅｒｅｎｃｅ  ｓｉｇｎａｌ、ＣＲＳ）に基づく物理ダウンリンク制御チャネル、または復調基準信号（ｄｅｍｏｄｕｌａｔｉｏｎ  ｒｅｆｅｒｅｎｃｅ  ｓｉｇｎａｌ、ＤＭＲＳ）に基づく物理ダウンリンク制御チャネルであってよい。ＣＲＳに基づく物理ダウンリンク制御チャネルは、ＣＲＳに基づいて復調される物理ダウンリンク制御チャネルであってよく、ＤＭＲＳに基づく物理ダウンリンク制御チャネルは、ＤＭＲＳに基づいて復調される物理ダウンリンク制御チャネルであってよい。ＣＲＳは、セル内の全ての端末デバイスについてネットワークデバイスにより構成される基準信号（ｒｅｆｅｒｅｎｃｅ  ｓｉｇｎａｌ、ＲＳ）である。ＤＭＲＳは、特定の端末デバイスについてネットワークデバイスにより構成されるＲＳである、または、ＵＥ固有基準信号（ＵＥ−ｓｐｅｃｉｆｉｃ  ｒｅｆｅｒｅｎｃｅ  ｓｉｇｎａｌ、ＵＲＳ）として見なされてよい。
【００７４】
なお、ＮＲシステムで定義される物理ダウンリンク制御チャネルは、ＤＭＲＳに基づく物理ダウンリンク制御チャネルであってよい。
【００７５】
５．集約レベル（ａｇｇｒｅｇａｔｉｏｎ  ｌｅｖｅｌ、ＡＬ）：集約レベルは、１つの物理ダウンリンク制御チャネルにより占有される連続する制御チャネル要素（ｃｏｎｔｒｏｌ  ｃｈａｎｎｅｌ  ｅｌｅｍｅｎｔ、ＣＣＥ）の数を示してよい。具体的に言うと、Ｌ個のＣＣＥを集約することによりダウンリンク制御チャネルが形成される、または言い換えると、Ｌ個の連続するＣＣＥ上でダウンリンク制御チャネルが伝送され得る場合は、物理ダウンリンク制御チャネルの集約レベルはＬであり、Ｌは正の整数である。具体的に言うと、Ｌの値は１、２、４、または８であってもよいし、１６または３２でさえあってもよい。集約レベルの値については、本願の実施形態では特に限定しない。
【００７６】
６．リソース要素群（ｒｅｓｏｕｒｃｅ  ｅｌｅｍｅｎｔ  ｇｒｏｕｐ、ＲＥＧ）および制御チャネル要素（ＣＣＥ）：リソース要素群および制御チャネル要素は、ダウンリンク制御シグナリングのための物理リソース割り当ての基本単位であり、ダウンリンク制御シグナリングからＲＥへのマッピングを定義するために使用される。例えば、ＬＴＥプロトコルでは、１つのＣＣＥが９つのＲＥＧを含み、１つのＲＥＧが、周波数領域で連続する４つの非基準信号（ｒｅｆｅｒｅｎｃｅ  ｓｉｇｎａｌ、ＲＳ）ＲＥを含むことが指定されている。言い換えると、１つのＣＣＥは３６個のＲＥを含む。ＲＥＧおよびＣＣＥはリソース割り当てに使用される単位に過ぎず、本願へのいかなる制限も設けるものではないことを理解されたい。本願は、将来のプロトコルで新たなリソース割り当て単位を定義して、同じ機能または同様の機能を実装する可能性を排除するものではない。
【００７７】
７．探索空間：探索空間は、端末デバイスのブラインド検出の探索範囲として使用される。探索空間の概念は、既存のプロトコル（例えば、ＬＴＥプロトコル）で定義されている。探索空間は、端末デバイスにより監視される必要があるダウンリンク制御チャネル候補のセットである。探索空間は、共通探索空間（ｃｏｍｍｏｎ  ｓｅａｒｃｈ  ｓｐａｃｅ）およびＵＥ固有探索空間（ＵＥ−ｓｐｅｃｉｆｉｃ  ｓｅａｒｃｈ  ｓｐａｃｅ）を含んでよい。共通探索空間は、セルレベルの共通情報を伝送するために使用され、当該共通情報は、例えば、ページング（ｐａｇｉｎｇ）、ランダムアクセス応答（ｒａｎｄｏｍ  ａｃｃｅｓｓ  ｒｅｓｐｏｎｓｅ、ＲＡＲ）、およびブロードキャスト制御チャネル（ｂｒｏａｄｃａｓｔ  ｃｏｎｔｒｏｌ  ｃｈａｎｎｅｌ、ＢＣＣＨ）に関連する制御情報を含んでよい。ＵＥ固有探索空間は、端末デバイス（またはＵＥ）レベルの情報を伝送するために使用され、当該情報は、例えば、ダウンリンク共有チャネル（ｄｏｗｎｌｉｎｋ  ｓｈａｒｅｄ  ｃｈａｎｎｅｌ、ＤＬ−ＳＣＨ）およびアップリンク共有チャネル（ｕｐｌｉｎｋ  ｓｈａｒｅｄ  ｃｈａｎｎｅｌ、ＵＬ−ＳＣＨ）に関連する制御情報を含んでよい。
【００７８】
８．制御リソースセット（ｃｏｎｔｒｏｌ  ｒｅｓｏｕｒｃｅ  ｓｅｔ、ＣＯＲＥＳＥＴ）：制御リソースセットは、ダウンリンク制御情報を伝送するために使用されるリソースのセットであり、制御リソースエリアまたは物理ダウンリンク制御チャネル・リソースセットとしても見なされてよい。
【００７９】
制御チャネルは複数の制御リソースセットに分割されてよく、各制御リソースセットはＲＥＧのセットである。端末デバイスは、１つまたは複数の制御リソースセット上の物理ダウンリンク制御チャネルを監視してよい。
【００８０】
ネットワークデバイスの場合は、制御リソースセットを、制御チャネルを送信するために占有され得るリソースのセットとして理解してよい。端末デバイスの場合は、全ての端末デバイスの物理ダウンリンク制御チャネルの探索空間が制御リソースセットに属する。言い換えると、ネットワークデバイスは、物理ダウンリンク制御チャネルを送信するために使用されるリソースを制御リソースセットから決定してよく、端末デバイスは、物理ダウンリンク制御チャネルの探索空間を制御リソースセットから決定してよい。制御リソースセットは、時間周波数リソースを含んでよく、例えば、周波数領域における帯域幅のセグメント、または１つまたは複数のサブバンドであってよく、時間領域における１つまたは複数の時間単位であってよい。１つのＣＯＲＥＳＥＴは、時間領域または周波数領域における連続するリソース単位または連続しないリソース単位、例えば、連続するリソースブロック（ｒｅｓｏｕｒｃｅ  ｂｌｏｃｋ、ＲＢ）または連続しないＲＢであってよい。
【００８１】
上に示したＣＯＲＥＳＥＴは制御リソースセットの例であり、本願へのいかなる制限も設けるものではないことを理解されたい。本願は、将来のプロトコルでＣＯＲＥＳＥＴを別の名前に置き換えて、同じ機能または同様の機能を実装する可能性を排除するものではない。
【００８２】
上に示した周波数領域リソース、時間領域リソース、および時間周波数リソースの具体的な内容は、例示的な説明に使用されているに過ぎず、本願の実施形態へのいかなる制限も設けるものではないことを更に理解されたい。例えば、ＲＢはリソース単位の例である。ＲＢのサイズは、既存のＬＴＥプロトコルで定義されていてもよいし、将来のプロトコルで定義されてもよい、または、ＲＢは別の名前に置き換えられてよい。別の例として、時間単位はサブフレームであってもよいし、スロット（ｓｌｏｔ）であってもよいし、無線フレーム、ミニスロット（ｍｉｎｉ−ｓｌｏｔまたはｓｕｂ−ｓｌｏｔ）、複数の集約スロット、複数の集約サブフレーム、またはシンボルであってもよいし、伝送時間間隔（ｔｒａｎｓｍｉｓｓｉｏｎ  ｔｉｍｅ  ｉｎｔｅｒｖａｌ、ＴＴＩ）でさえあってもよい。これについては、本願の実施形態では特に限定しない。
【００８３】
以下では、添付の図面を参照しながら本願の実施形態について詳細に説明する。
【００８４】
本願の技術的解決策は、無線通信システム、例えば、図１に示す通信システム１００に適用され得ることを理解されたい。通信システムは、少なくとも１つのネットワークデバイスと、少なくとも１つの端末デバイスとを含んでよい。ネットワークデバイスは、無線エアインタフェースを通じて端末デバイスと通信してよい。例えば、通信システム内のネットワークデバイスは、図１に示すネットワークデバイス１０２に対応してよく、通信システム内の端末デバイスは、図１に示す端末デバイス１０４から１１４に対応してよい。
【００８５】
以下では、１つの端末デバイスと、あるネットワークデバイスとの間の相互作用プロセスを例として使用することにより、一般性を失うことなく本願の実施形態について詳細に説明する。端末デバイスは、ネットワークデバイスとの無線接続関係を有する、無線通信システム内の任意の端末デバイスであってよい。ネットワークデバイス、および、無線接続関係を有する、無線通信システム内の複数の端末デバイスは、同じ技術的解決策に従って基準信号の伝送を実行できることが理解され得る。これについては本願では限定しない。
【００８６】
図２は、デバイス相互作用の観点から見た本願のある実施形態に係る通信方法２００の概略フローチャートである。図２に示す通り、方法２００は段階２１０から段階２４０を含む。
【００８７】
段階２１０：端末デバイスが第１時間単位でのブラインド検出の最大回数を決定する。
【００８８】
ブラインド検出の最大回数は、第１時間単位で端末デバイスにより実行され得るブラインド検出の最大回数を示すために使用されてよい。代替的に、第１時間単位はブラインド検出の最大回数に対応し、段階２１０では、端末デバイスは、第１時間単位に対応するブラインド検出の最大回数を決定する。ここでの第１時間単位は、予め定義された（例えば、プロトコルで定義された）時間長であってよい。第１時間単位は、１つまたは複数のシンボルを含んでよい。例えば、第１時間単位は１つのスロットであってよい、または、第１時間単位はｋ個（ｋは正の整数である）のシンボルであってよく、ｋ個のシンボルの時間長は１つのスロットより短い。ＬＴＥプロトコルにおけるスロットの定義が引き続き使用される場合は、ｋは通常のサイクリックプレフィクスで例えば１４より小さい。オプションとして、ブラインド検出の最大回数は予め定義されてよい。
【００８９】
例えば、ブラインド検出の最大回数はプロトコルで定義されてよい。端末デバイスのブラインド検出の最大回数はプロトコルで固定されてよい、または、複数の異なるブラインド検出の最大回数が、複数の異なるサービスタイプに基づいて定義される。これについては本願では限定しない。
【００９０】
オプションとして、ブラインド検出の最大回数はユーザ機器により報告されてよい。
【００９１】
例えば、ユーザ機器は、ユーザ機器の能力に基づいて、第１時間単位で実行され得るブラインド検出の最大回数をネットワークデバイスに報告する。
【００９２】
オプションとして、ブラインド検出の最大回数はネットワークデバイスにより示される。
【００９３】
この場合は、方法２００は更に段階２１０１を含む。ここで、端末デバイスは、ネットワークデバイスにより送信された第１の指示情報を受信し、第１の指示情報は、ブラインド検出の最大回数を示すために使用される。
【００９４】
それに応じて、段階２１０１では、ネットワークデバイスが第１の指示情報を送信し、第１の指示情報は、ブラインド検出の最大回数を示すために使用される。
【００９５】
具体的に言うと、端末デバイスのブラインド検出の最大回数は、制御リソースの使用状況と端末デバイスの能力とに基づいて決定されてよい。考えられる実装では、端末デバイスは、端末デバイスの能力を表し得る初期のブラインド検出の最大回数（区別し易くするために、端末デバイスの能力に対応するブラインド検出の最大回数を初期のブラインド検出の最大回数として見なす）をネットワークデバイスに報告してよく、ネットワークデバイスは、端末デバイスの初期のブラインド検出の最大回数、ネットワークリソースの使用状況、および同様のものに基づいて端末デバイスのブラインド検出の最大回数を決定し、シグナリングを使用することにより端末デバイスにブラインド検出の最大回数を示してよい。
【００９６】
オプションとして、方法２００は更に、端末デバイスが、第１時間単位で実行され得る初期のブラインド検出の最大回数を報告する段階を含む。代替的に、端末デバイスは、第１時間単位に対応する初期のブラインド検出の最大回数を報告する。
【００９７】
例えば、端末デバイスは、端末デバイスの能力に基づいて、第１時間単位で実行され得る初期のブラインド検出の最大回数をネットワークデバイスに報告してよい。初期のブラインド検出の最大回数は、ブラインド検出の最大回数より多いか等しくてよい。
【００９８】
段階２２０：ネットワークデバイスは、第１時間単位で少なくとも１つの物理ダウンリンク制御チャネルを送信する。
【００９９】
具体的に言うと、ネットワークデバイスは、第１時間単位で同じ端末デバイスに１つまたは複数の物理ダウンリンク制御チャネルを送信してよい。言い換えると、ネットワークデバイスは、第１時間単位で同じ端末デバイスに１つまたは複数の形式のダウンリンク制御情報（例えば、ＤＣＩ）を送信してよい。ダウンリンク制御情報の形式が異なる場合は、対応する物理ダウンリンク制御チャネルのブラインド検出周期が異なる。例えば、物理ダウンリンク制御チャネル１のブラインド検出周期は１つのスロットであってよく、物理ダウンリンク制御チャネル２のブラインド検出周期は３つのシンボルであってよい。従って、異なる形式のダウンリンク制御情報の場合は、同じ第１時間単位に含まれるブラインド検出周期が異なる。更には、上位層シグナリングを使用することにより、端末デバイスについて、各形式のダウンリンク制御情報のブラインド検出周期が構成されてよい。
【０１００】
図３はブラインド検出周期の概略図である。図３は、制御リソースセット（例えば、ＣＯＲＥＳＥＴ）上で２つのダウンリンク制御情報形式の物理ダウンリンク制御チャネルを送信する際の概略図である。物理ダウンリンク制御チャネル１のブラインド検出周期は１つのスロットであってよく、物理ダウンリンク制御チャネル２のブラインド検出周期は、ｍ個（ｍ≧１であり、ｍは整数である）のシンボルであってよく、例えば、ｍ＝３である。
【０１０１】
なお、制御リソースセット内のリソースは、プロトコルに従って定義されてよい。言い換えると、制御リソースセット内のリソース位置は予め決定され、固定されてよい。ネットワークデバイスが物理ダウンリンク制御チャネルを送信しようとする場合は、ネットワークデバイスはまず、制御リソースセットを選択し、選択された制御リソースセット上で物理ダウンリンク制御チャネルを送信する。
【０１０２】
実際、図３に示す２つのスロットは時間領域で重複している。説明および理解をし易くするためにのみ、２つの物理ダウンリンク制御チャネルに対応する２つのスロットを別々に図示する。２つの物理ダウンリンク制御チャネルは、異なる制御リソースセット上で送信されてよい。言い換えると、図３の上部にある２つの図では、左端の最初の列に２つの制御リソースセットがあり、物理ダウンリンク制御チャネル１は第１の制御リソースセット上で送信されてよく、物理ダウンリンク制御チャネル２は第２の制御リソースセット上で送信される。ここで、第１の制御リソースセットおよび第２の制御リソースセットは、図３の上から順になっており、物理ダウンリンク制御チャネル２のみが、残っている３つの制御リソースセット上で送信されてよい。同様に、２つの物理ダウンリンク制御チャネルは、同じ制御リソースセット上で送信されてよい。物理ダウンリンク制御チャネル１および物理ダウンリンク制御チャネル２に対応する２つのスロットが重ねて描かれる場合は、図３の下部に示す図が取得され得る。言い換えると、物理ダウンリンク制御チャネル１および物理ダウンリンク制御チャネル２は、左端の最初の制御リソースセット上で送信されてよく、物理ダウンリンク制御チャネル２のみが、残っている３つの制御リソースセット上で送信されてよい。
【０１０３】
本願のこの実施形態では、時間領域で重複する２つまたはそれより多くのブラインド検出周期が、１回のブラインド検出機会（ｂｌｉｎｄ  ｄｅｔｅｃｔｉｏｎ  ｏｃｃａｓｉｏｎ）として見なされてよい。従って、図３に示す第１時間単位が１つのスロットである場合は、第１時間単位は４回のブラインド検出機会を含んでよい。
【０１０４】
言い換えると、第１時間単位は、Ｎ回（Ｎは正の整数であり、Ｎ≧２である）のブラインド検出機会を含み、Ｎ回のブラインド検出機会は、複数の物理ダウンリンク制御チャネルの各々のブラインド検出周期に基づいて決定されてよい。言い換えると、第１時間単位はＮ回のブラインド検出機会に対応し、Ｎは正の整数であり、Ｎ≧２である。
【０１０５】
端末デバイスは、複数のブラインド検出機会の時系列に基づいて全てのブラインド検出機会に、対応する制御リソースセット上で物理ダウンリンク制御チャネル・ブラインド検出を連続的に実行してよい。
【０１０６】
なお、制御リソースセットは、物理ダウンリンク制御チャネルを搬送するために使用されるリソースのセットである。本願のこの実施形態では、制御リソースセットはスロット内でのみ周期的であってよいが、スロットの境界に跨ることはない。複数の制御リソースセットが１つのスロットに周期的に構成されてよく、複数の制御リソースセットは同じ持続時間および同じ周期を有してよい。ただし、任意の２つのスロットに構成されるＣＯＲＥＳＥＴが、異なる開始位置および異なる周期を有してもよいし、同じ開始位置および同じ周期を有してもよい。
【０１０７】
理解し易くするために、図４から図６は制御リソースセット構成の概略図である。
【０１０８】
図４に示す通り、各スロット（例えば、スロット１およびスロット２）に含まれる１４個のシンボルのうち、制御リソースセットの開始位置はスロット内の０番目のシンボルであり、制御リソースセットの持続時間は３つのシンボルであり、１つの制御リソースセット周期は５つのシンボルである。言い換えると、制御リソースセットが２つのシンボルの間隔で現れる。１４個のシンボルを制御リソースセット周期に均等に割り当てることはできず、当該制御リソースセット周期の各々は５つのシンボルを含む。従って、スロット１における最後の制御リソースセットと、スロット２における第１の制御リソースセットとの間の間隔が、１つのスロットにおける２つの制御リソースセット間の間隔に必ずしも等しいとは限らない。
【０１０９】
図５に示す通り、第１のスロット（すなわち、スロット１）では、制御リソースセットの開始位置が当該スロットにおける第１のシンボルであり、制御リソースセットの持続時間が２つのシンボルであり、１つの制御リソースセット周期が４つのシンボルである。言い換えると、制御リソースセットが２つのシンボルの間隔で現れる。現在のスロット（例えば、スロット１）では、最後の制御リソースセットの後に３つのシンボルが残っており、残っている３つのシンボルは、１つの制御リソースセット周期には不十分である。従って、これら３つのシンボル上に制御リソースセットが構成されることはない。次のスロット（すなわち、スロット２）でも引き続き、制御リソースセット構成が第１のシンボルから開始する。言い換えると、制御リソースセットの開始位置が、スロットの開始境界の位置に対して同じである。
【０１１０】
図４および図５からは、制御リソースセットが１つのスロットに周期的に分配され、任意の２つのスロットにおける制御リソースセットが同じ開始位置および同じ持続時間を有することが分かる。
【０１１１】
図６に示す通り、第１のスロット（すなわち、スロット１）では、制御リソースセットの開始位置が当該スロットにおける第１のシンボルであり、制御リソースセットの持続時間が２つのシンボルであり、１つの制御リソースセット周期が４つのシンボルである。言い換えると、制御リソースセットが２つのシンボルの間隔で現れる。現在のスロット（例えば、スロット１）では、最後の制御リソースセットの後に３つのシンボルが残っており、残っている３つのシンボルは、１つの制御リソースセット周期には不十分である。従って、制御リソースセットがスロットの境界に跨らないことを保証すべく、１シンボルの制御リソースセットが、これら３つのシンボルのうちの最後のシンボル上に構成される。言い換えると、１つのＣＯＲＥＳＥＴが２つのスロットに跨ることはない。次のスロット（すなわち、スロット２）でも引き続き、制御リソースセット構成が第１のシンボルから開始する。言い換えると、制御リソースセットの開始位置が、スロットの開始境界の位置に対して同じである。
【０１１２】
複数の制御リソースセットが複数のスロットに構成される場合は、代替的に、これらのスロットにおける制御リソースセットの開始位置および持続時間が別々に構成されてよい。例えば、少なくとも１つのスロットを含むスロット群１では、スロット内の制御リソースセットが同じ開始位置および同じ持続時間を有し、少なくとも１つのスロットを含むスロット群２でも、スロット内の制御リソースセットが同じ開始位置および同じ持続時間を有するが、スロット群１内の任意のスロットにおける制御リソースセットの開始位置および持続時間は、スロット群２内の任意のスロットにおける制御リソースセットの開始位置および持続時間とは異なる。言い換えると、制御リソースセットが１つのスロットに周期的に分配され、少なくとも２つのスロットにおける制御リソースセットが、異なる開始位置および／または異なる持続時間を有する。
【０１１３】
理解し易くするために、図７は制御リソースセット構成の更に別の概略図である。図７に示す通り、スロット１およびスロット２の各々における制御リソースセットの開始位置はスロット内の０番目のシンボルであり、制御リソースセット周期は５つのシンボルであり、制御リソースセットの持続時間は３つのシンボルであり、スロット３およびスロット４の各々における制御リソースセットの開始位置はスロット内の第１のシンボルであり、制御リソースセット周期は４つのシンボルであり、制御リソースセットの持続時間は２つのシンボルである。従って、スロット１およびスロット２は１つのスロット群を構成し、スロット３およびスロット４は別のスロット群を構成する。
【０１１４】
オプションとして、方法２００は更に段階２３０を含む。ここで、ネットワークデバイスは構成情報を送信し、構成情報は、各ブラインド検出機会におけるブラインド検出の回数を示すために使用される。
【０１１５】
具体的に言うと、構成情報は、各ブラインド検出機会における少なくとも１つのダウンリンク制御情報（ＤＣＩ）形式、各ＤＣＩ形式に対応する集約レベル、同じ集約レベルの複数の物理ダウンリンク制御チャネル候補の数、第１時間単位でのブラインド検出機会の数Ｎ、および、各ブラインド検出機会におけるブラインド検出の合計回数のうちの少なくとも１つを含んでよい。
【０１１６】
それに応じて、段階２３０では、端末デバイスは構成情報を受信し、構成情報は、各ブラインド検出機会におけるブラインド検出の回数を決定するために使用される。
【０１１７】
なお、異なる形式のダウンリンク制御情報は、異なる数のＣＣＥを占有してよく、すなわち、異なる集約レベルに対応してよい。更に、各ダウンリンク制御情報形式は、少なくとも１つの集約レベルに対応してよい。ネットワークデバイスは、集約レベルごとに物理ダウンリンク制御チャネル候補の数を構成してよい。物理ダウンリンク制御チャネル候補のセットが探索空間を構成する。
【０１１８】
考えられる設計では、端末デバイスは、構成情報に基づいて、端末デバイスについてネットワークデバイスにより構成される、各ブラインド検出機会におけるブラインド検出の回数を決定してよい。このように、端末デバイスは、ブラインド検出されるダウンリンク制御情報の形式と、ダウンリンク制御情報がブラインド検出されるブラインド検出機会とを決定することができる。
【０１１９】
別の考えられる設計では、端末デバイスは、第１時間単位でのブラインド検出の最大回数、およびブラインド検出機会の数Ｎに基づいて、各ブラインド検出機会におけるブラインド検出の回数を決定してよい。具体的に言うと、ブラインド検出の最大回数は、ブラインド検出機会の総数で除算される。ブラインド検出の最大回数がブラインド検出機会の総数で割り切れない場合は、切り上げ、切り捨て、または四捨五入が実行されてよい。
【０１２０】
更に別の考えられる設計では、端末デバイスは、構成情報に基づいて各ブラインド検出機会におけるブラインド検出の回数を取得してよい。言い換えると、構成情報は、各ブラインド検出機会におけるブラインド検出の回数を直接示す。
【０１２１】
本願のこの実施形態では、端末デバイスについてネットワークデバイスにより構成される、全てのブラインド検出機会におけるブラインド検出の回数が等しくても等しくなくてもよい。
【０１２２】
引き続き図３を例として使用すると、第１時間単位は４回のブラインド検出機会を含み、ネットワークデバイスは、各ダウンリンク制御情報形式に対応する集約レベルごとに物理ダウンリンク制御チャネル候補の数を構成してよい。
【０１２３】
例えば、図３における物理ダウンリンク制御チャネル１のダウンリンク制御情報形式に対応する集約レベルは、集約レベル１および２であり、集約レベル１および２の各々には６つの物理ダウンリンク制御チャネル候補があり、物理ダウンリンク制御チャネル２のダウンリンク制御情報形式に対応する集約レベルは、集約レベル４および８であり、集約レベル４には８つの物理ダウンリンク制御チャネル候補があり、集約レベル８には６つの物理ダウンリンク制御チャネル候補がある。
【０１２４】
言い換えると、均等な割り当ては、１つのダウンリンク制御情報形式の１つの集約レベルについてネットワークデバイスにより構成される、任意の２回のブラインド検出機会における物理ダウンリンク制御チャネル候補の数が同じであると理解してよい。ただし、これは、１つのダウンリンク制御情報形式の１つの集約レベルについて、任意の２回のブラインド検出機会に端末デバイスにより実行される実際のブラインド検出の回数が同じであることを示すわけではない。
【０１２５】
均等な割り当ての場合は、ネットワークデバイスは、構成情報において、ブラインド検出機会ごとに構成される、各ダウンリンク制御情報形式に対応する各集約レベルの物理ダウンリンク制御チャネル候補の数を示してよい、または、ネットワークデバイスは、構成情報において、各ダウンリンク制御情報形式に対応する各集約レベルの物理ダウンリンク制御チャネル候補の数を示してよく、他のシグナリングを使用することにより、複数のブラインド検出機会におけるブラインド検出の回数が均等に割り当てられていることを示してよい。これについては本願では限定しない。
【０１２６】
別の例として、ネットワークデバイスは、第１のブラインド検出機会に、集約レベル１の物理ダウンリンク制御チャネル１に関する物理ダウンリンク制御チャネル候補の数が６であり、集約レベル２の物理ダウンリンク制御チャネル１に関する物理ダウンリンク制御チャネル候補の数が６であり、集約レベル４の物理ダウンリンク制御チャネル２に関する物理ダウンリンク制御チャネル候補の数が１であり、集約レベル８の物理ダウンリンク制御チャネル２に関する物理ダウンリンク制御チャネル候補の数が１である構成と、残っている３回のブラインド検出機会に、集約レベル４の物理ダウンリンク制御チャネル２に関する物理ダウンリンク制御チャネル候補の数が８であり、集約レベル８の物理ダウンリンク制御チャネル２に関する物理ダウンリンク制御チャネル候補の数が６である構成とを実行してよい。
【０１２７】
言い換えると、不均等な割り当ては、１つのダウンリンク制御情報形式（例えば、物理ダウンリンク制御チャネル２）の１つの集約レベルについてネットワークデバイスにより構成される、少なくとも２回のブラインド検出機会における物理ダウンリンク制御チャネル候補の数が異なると理解してよい。
【０１２８】
不均等な割り当ての場合は、ネットワークデバイスは、構成情報において、ブラインド検出機会ごとに構成される、各ダウンリンク制御情報形式に対応する各集約レベルの物理ダウンリンク制御チャネル候補の数を示してよい。
【０１２９】
本願のこの実施形態では、物理ダウンリンク制御チャネル・ブラインド検出構成情報は、上位層シグナリング（例えば、無線リソース制御（ｒａｄｉｏ  ｒｅｓｏｕｒｃｅ  ｃｏｎｔｒｏｌ、ＲＲＣ）メッセージ）を使用することにより示されてよい。
【０１３０】
オプションとして、段階２３０は具体的に、ネットワークデバイスがＲＲＣメッセージを送信する段階を含み、ＲＲＣメッセージは物理ダウンリンク制御チャネル・ブラインド検出構成情報を保持する。
【０１３１】
ＲＲＣメッセージに保持する物理ダウンリンク制御チャネル・ブラインド検出構成情報は、考えられる実装に過ぎないことを理解されたい。
【０１３２】
段階２４０：端末デバイスは、ｉ番目（ｉは正の整数であり、ｉ≦Ｎである）のブラインド検出機会に物理ダウンリンク制御チャネル・ブラインド検出を実行する。
【０１３３】
具体的に言うと、端末デバイスは、事前に取得される（例えば、段階２３０でネットワークデバイスから受信される）ＰＤＣＣＨブラインド検出構成情報に基づいて各物理ダウンリンク制御チャネルのブラインド検出機会に物理ダウンリンク制御チャネル・ブラインド検出を実行してよい。
【０１３４】
本願のこの実施形態では、ネットワークデバイスは、上で列挙した第１情報の１つまたは複数の項目に基づいて、予め設定された規則に従ってＮ回のブラインド検出機会に少なくとも１つの物理ダウンリンク制御チャネルを送信してよい。端末デバイスは、上で列挙した第１情報の１つまたは複数の項目に基づいて、予め設定された規則に従って各ブラインド検出機会に物理ダウンリンク制御チャネル・ブラインド検出を実行してよい。
【０１３５】
制限ではなく例として、段階２２０では、ネットワークデバイスは、以下の規則のうちの何れか１つ、または以下の規則のうちの複数の組み合わせに従って、少なくとも１つの物理ダウンリンク制御チャネルを送信してよい。
【０１３６】
規則１：複数の制御リソースセットがｉ番目のブラインド検出機会に分配される場合は、当該複数の制御リソースセットの優先度の高い順に基づいて当該複数の制御リソースセットから利用可能な制御リソースセットが選択され、少なくとも１つの物理ダウンリンク制御チャネルは、当該利用可能な制御リソースセットを使用することにより送信される。
【０１３７】
例えば、複数の制御リソースセットがｉ番目のブラインド検出機会に分配される場合は、ネットワークデバイスは、当該複数の制御リソースセットの優先度の高い順に基づいて、利用可能な制御リソースセットを選択し、当該利用可能な制御リソースセットを使用することにより１つまたは複数の物理ダウンリンク制御チャネルを送信してよい。
【０１３８】
規則２：探索空間タイプの優先順位に基づいてｉ番目のブラインド検出機会に複数の探索空間から利用可能な探索空間が選択され、少なくとも１つの物理ダウンリンク制御チャネルは、当該利用可能な探索空間を使用することにより送信される。
【０１３９】
例えば、探索空間は、共通探索空間およびユーザ固有探索空間を含む。共通探索空間の優先度がユーザ固有探索空間の優先度より高い場合は、１つまたは複数の物理ダウンリンク制御チャネルは、まず共通探索空間を使用し、次にユーザ固有探索空間を使用することにより送信される。従って、ネットワークデバイスがｉ番目のブラインド検出機会に１つまたは複数の物理ダウンリンク制御チャネルを送信する場合は、１つまたは複数の物理ダウンリンク制御チャネルは、共通探索空間を使用することにより優先的に送信される。
【０１４０】
規則３：複数のダウンリンク制御情報形式がある場合は、少なくとも１つの物理ダウンリンク制御チャネルは、ダウンリンク制御情報形式の優先順位に基づいてｉ番目のブラインド検出機会に送信される。
【０１４１】
例えば、ネットワークデバイスが複数のダウンリンク制御情報形式の物理ダウンリンク制御チャネルを同じ端末デバイスに送信し、かつ、ｉ番目のブラインド検出機会に複数のダウンリンク制御情報形式の物理ダウンリンク制御チャネルが構成される場合は、ダウンリンク制御情報形式の優先順位に基づいてｉ番目のブラインド検出機会に１つまたは複数の物理ダウンリンク制御チャネルが送信されてよい。
【０１４２】
規則４：同じダウンリンク制御情報形式が複数の集約レベルに対応し、集約レベルの大きい順または小さい順に基づいてｉ番目のブラインド検出機会に物理ダウンリンク制御チャネル伝送が実行される。
【０１４３】
例えば、ｉ番目のブラインド検出機会にネットワークデバイスにより送信されるダウンリンク制御情報の形式が複数の集約レベルに対応する場合は、集約レベルの高い順に基づいて少なくとも１つの利用可能な集約レベルが選択されてよく、１つまたは複数の物理ダウンリンク制御チャネルは、少なくとも１つの利用可能な集約レベルを使用することにより送信される。
【０１４４】
規則５：同じ集約レベルの物理ダウンリンク制御チャネル候補が複数ある場合は、少なくとも１つの物理ダウンリンク制御チャネルは、同じ集約レベルの複数の物理ダウンリンク制御チャネル候補の開始制御チャネル要素（例えば、ＣＣＥ）のシリアル番号の大きい順または小さい順に基づいてｉ番目のブラインド検出機会に送信される。
【０１４５】
例えば、同じ集約レベルの物理ダウンリンク制御チャネル候補が複数ある場合は、ネットワークデバイスは、同じ集約レベルの複数の物理ダウンリンク制御チャネル候補の開始制御チャネル要素のシリアル番号の大きい順に基づいて、利用可能な制御チャネル要素を選択し、当該利用可能な制御チャネル要素を使用することにより１つまたは複数の物理ダウンリンク制御チャネルを送信してよい。
【０１４６】
上述の規則は組み合わせて使用されてよい。ネットワークデバイスが物理ダウンリンク制御チャネルを送信する際の具体的な規則は、プロトコルで予め定義されているか、もしくは指定されている、または、ネットワークデバイスにより選択され、シグナリングを使用することにより端末デバイスに通知されてよい。
【０１４７】
それに応じて、段階２４０では、端末デバイスは、以下の規則のうちの何れか１つ、または以下の規則のうちの複数の組み合わせに従ってブラインド検出を実行してよい。
【０１４８】
規則１：複数の制御リソースセットがｉ番目のブラインド検出機会に分配される場合は、当該複数の制御リソースセットの優先度の高い順に基づいて当該複数の制御リソースセット上で物理ダウンリンク制御チャネル・ブラインド検出が連続的に実行される。
【０１４９】
規則２：ｉ番目のブラインド検出機会に探索空間タイプの優先順位に基づいて複数の探索空間で物理ダウンリンク制御チャネル・ブラインド検出が連続的に実行される。
【０１５０】
例えば、探索空間は、共通探索空間およびユーザ固有探索空間を含む。共通探索空間の優先度がユーザ固有探索空間の優先度より高い場合は、まず共通探索空間、次にユーザ固有探索空間の順序に基づいてｉ番目のブラインド検出機会に複数の探索空間で物理ダウンリンク制御チャネル・ブラインド検出が連続的に実行される。
【０１５１】
規則３：複数のダウンリンク制御情報形式がある場合は、ダウンリンク制御情報形式の優先順位に基づいてｉ番目のブラインド検出機会に物理ダウンリンク制御チャネル・ブラインド検出が実行される。
【０１５２】
例えば、ネットワークデバイスが複数のダウンリンク制御情報形式の物理ダウンリンク制御チャネルを同じ端末デバイスに送信し、かつ、ｉ番目のブラインド検出機会に複数のダウンリンク制御情報形式の物理ダウンリンク制御チャネルが構成される場合は、複数のダウンリンク制御情報形式の物理ダウンリンク制御チャネルは、ダウンリンク制御情報形式の優先順位に基づいて連続的にブラインド検出されてよい。
【０１５３】
規則４：同じダウンリンク制御情報形式が複数の集約レベルに対応し、集約レベルの大きい順または小さい順に基づいてｉ番目のブラインド検出機会に物理ダウンリンク制御チャネル・ブラインド検出が実行される。
【０１５４】
規則５：同じ集約レベルの物理ダウンリンク制御チャネル候補が複数ある場合は、同じ集約レベルの複数の物理ダウンリンク制御チャネル候補の開始ＣＣＥ番号の大きい順または小さい順に基づいて、ｉ番目のブラインド検出機会に物理ダウンリンク制御チャネル・ブラインド検出が実行される。
【０１５５】
上述の規則は組み合わせて使用されてよい。端末デバイスが物理ダウンリンク制御チャネル・ブラインド検出を実行する際の具体的な規則は、プロトコルで予め定義されているか、もしくは指定されている、または、ネットワークデバイスにより選択され、シグナリングを使用することにより端末デバイスに通知されてよい。
【０１５６】
例えば、規則１および規則２は組み合わせて使用される。
【０１５７】
ブラインド検出機会に優先度のより高い制御リソースセット（例えば、制御リソースセット１）上で物理ダウンリンク制御チャネル・ブラインド検出が優先的に実行され、次に、優先度のより低い制御リソースセット（例えば、制御リソースセット２）上で物理ダウンリンク制御チャネル・ブラインド検出が実行される。
【０１５８】
制御リソースセット１が共通探索空間およびユーザ固有探索空間を含む場合は、共通探索空間およびユーザ固有探索空間の優先順位に基づいて、優先度のより高い探索空間（例えば、ユーザ固有探索空間）で物理ダウンリンク制御チャネル・ブラインド検出が優先的に実行されてよく、次に、優先度のより低い探索空間（例えば、共通探索空間）で物理ダウンリンク制御チャネル・ブラインド検出が実行される。
【０１５９】
制御リソースセット２上でブラインド検出を実行する際の具体的なプロセスは、制御リソースセット１上でブラインド検出を実行する際の具体的なプロセスと同様である。簡潔にするため、詳細についてはここで改めて説明しない。
【０１６０】
別の例として、規則３および規則４が組み合わせて使用される。
【０１６１】
複数のダウンリンク制御情報形式、例えば、ダウンリンク制御情報形式Ａおよびダウンリンク制御情報形式Ｂがある場合は、ダウンリンク制御情報形式の優先順位に基づいて、まず、優先度のより高いダウンリンク制御情報形式（例えば、ダウンリンク制御情報形式Ａ）について検出が実行され、次に、優先度のより低いダウンリンク制御情報形式（例えば、ダウンリンク制御情報形式Ｂ）について検出が実行される。ダウンリンク制御情報形式Ａに対するブラインド検出は、ダウンリンク制御情報形式に対応する集約レベルと、対応する物理ダウンリンク制御チャネル候補の数とに基づいて実行される。
【０１６２】
ダウンリンク制御情報形式Ａが２つの集約レベル、例えば、集約レベル２および集約レベル４に対応する場合は、集約レベルの高い順に基づいてブラインド検出が実行される。従って、集約レベル４の複数の物理ダウンリンク制御チャネル候補に対するブラインド検出が優先的に実行され、次に、集約レベル２の複数の物理ダウンリンク制御チャネル候補に対するブラインド検出が実行される。
【０１６３】
ダウンリンク制御情報形式Ｂに対する検出の具体的なプロセスは、ダウンリンク制御情報形式Ａに対する検出の具体的なプロセスと同様である。簡潔にするため、詳細についてはここで改めて説明しない。
【０１６４】
更に別の例として、規則４および規則５は組み合わせて使用される。
【０１６５】
同じダウンリンク制御情報形式が少なくとも２つの集約レベルに対応している。
【０１６６】
集約レベル４の複数の物理ダウンリンク制御チャネル候補に対するブラインド検出の間、まず、複数の物理ダウンリンク制御チャネル候補の位置が決定されてよく、すなわち、各物理ダウンリンク制御チャネル候補の開始ＣＣＥのシリアル番号が計算され、次に、複数の物理ダウンリンク制御チャネル候補の開始ＣＣＥのシリアル番号の大きい順または小さい順に基づいて集約レベル４の複数の物理ダウンリンク制御チャネル候補に対するブラインド検出が連続的に実行される。
【０１６７】
集約レベル８の複数の物理ダウンリンク制御チャネル候補に対するブラインド検出を実行する際の具体的なプロセスは、集約レベル４の複数の物理ダウンリンク制御チャネル候補に対するブラインド検出を実行する際の具体的なプロセスと同様である。簡潔にするため、詳細についてはここで改めて説明しない。
【０１６８】
以上では、複数のブラインド検出規則、および当該複数の規則の組み合わせを示したが、これは本願へのいかなる制限も設けないものとする。上述の規則のうちの何れか１つを使用することにより実行される物理ダウンリンク制御チャネル・ブラインド検出は、本願で特許請求される保護範囲に含まれるものとする。
【０１６９】
以下では、具体的な例を参照しながら、本願のこの実施形態で提供するブラインド検出規則について詳細に説明する。
【０１７０】
以下の実施形態では、第１時間単位でのブラインド検出の最大回数が４４であると想定される。
【０１７１】
［実施形態１］
図３に示す物理ダウンリンク制御チャネル１を例として使用する。ネットワークデバイスは、第１時間単位で１つの物理ダウンリンク制御チャネルのみ、すなわち、物理ダウンリンク制御チャネル１を送信すると想定される。上記の通り、物理ダウンリンク制御チャネル１については、２つの集約レベル、ＡＬ＝１およびＡＬ＝２が構成される。２つの集約レベルの各々に対応する物理ダウンリンク制御チャネル候補の数は６であると想定される。従って、端末デバイスは、規則４に従って集約レベルの低い順または高い順に基づいて物理ダウンリンク制御チャネル・ブラインド検出を連続的に実行してよい。
【０１７２】
ブラインド検出機会における端末デバイスのブラインド検出の回数が１２回であり、ブラインド検出の最大回数４４に達しないことから、ブラインド検出はブラインド検出の最大回数により限定されない。
【０１７３】
［実施形態２］
引き続き、図３に示す物理ダウンリンク制御チャネル１および物理ダウンリンク制御チャネル２を例として使用する。ネットワークデバイスは、第１時間単位で２つの物理ダウンリンク制御チャネル、すなわち、物理ダウンリンク制御チャネル１および物理ダウンリンク制御チャネル２を送信すると想定される。第１のブラインド検出機会については、２つのダウンリンク制御情報形式の物理ダウンリンク制御チャネルが構成され、第２のブラインド検出機会から第４のブラインド検出機会については、１つのダウンリンク制御情報形式のみの物理ダウンリンク制御チャネルが構成される。従って、第１のブラインド検出機会には、端末デバイスが２つのダウンリンク制御情報形式に基づいて物理ダウンリンク制御チャネル・ブラインド検出を実行してよく、第２のブラインド検出機会から第４のブラインド検出機会には、端末デバイスが１つのダウンリンク制御情報形式に基づいて物理ダウンリンク制御チャネル・ブラインド検出を実行してよい。
【０１７４】
端末デバイスについてネットワークデバイスにより構成される、全てのブラインド検出機会におけるブラインド検出の回数は等しいと想定される。上記の通り、物理ダウンリンク制御チャネル１については、２つの集約レベル、ＡＬ＝１およびＡＬ＝２が構成され、物理ダウンリンク制御チャネル候補の対応する数は６であり、物理ダウンリンク制御チャネル２については、２つの集約レベル、ＡＬ＝４およびＡＬ＝８が構成される。集約レベル４の物理ダウンリンク制御チャネル候補の数は８であり、集約レベル８の物理ダウンリンク制御チャネル候補の数は６であると想定される。
【０１７５】
第１のブラインド検出機会には、規則３および規則４に従って、端末デバイスはまず、ブラインド検出が優先的に実行されるダウンリンク制御情報形式を決定し、次に、ブラインド検出が優先的に実行されるダウンリンク制御情報形式に対応する集約レベルと、対応する物理ダウンリンク制御チャネル候補の数とに基づいてブラインド検出を実行してよい。ブラインド検出が優先的に実行されるダウンリンク制御情報形式が物理ダウンリンク制御チャネル１であると仮定すると、端末デバイスはまず、集約レベル１および集約レベル２に基づいて第１のブラインド検出機会にブラインド検出を実行する。更に、端末デバイスは、集約レベルの優先順位に基づいて、例えば、集約レベルの低い順に基づいて物理ダウンリンク制御チャネル・ブラインド検出を実行してよい。従って、優先的に集約レベル１に基づいて、集約レベル１の６つの物理ダウンリンク制御チャネル候補に対するブラインド検出が実行され、次に集約レベル２に基づいて、集約レベル２の６つの物理ダウンリンク制御チャネル候補に対するブラインド検出が実行される。次に、端末デバイスは、物理ダウンリンク制御チャネル２のダウンリンク制御情報形式についてブラインド検出を実行する。引き続き、端末デバイスは、集約レベルの低い順に基づいて物理ダウンリンク制御チャネル・ブラインド検出を実行することができる。この場合は、まず集約レベル４に基づいて、端末デバイスは集約レベル４の８つの物理ダウンリンク制御チャネル候補に対するブラインド検出を実行し、次に集約レベル８に基づいて、端末デバイスは集約レベル８の６つの物理ダウンリンク制御チャネル候補に対するブラインド検出を実行する。
【０１７６】
第１のブラインド検出機会における検出の後、端末デバイスのブラインド検出の回数は２６に達する。次に、端末デバイスは、第２のブラインド検出機会に物理ダウンリンク制御チャネル・ブラインド検出を実行する。第２のブラインド検出機会には物理ダウンリンク制御チャネル１が構成されないことから、端末デバイスは、物理ダウンリンク制御チャネル２のみに対するブラインド検出を実行する必要がある。従って、集約レベル４の８つの物理ダウンリンク制御チャネル候補と、集約レベル８の６つの物理ダウンリンク制御チャネル候補とに対するブラインド検出が直接実行され得る。
【０１７７】
第２のブラインド検出機会における検出の後、端末デバイスのブラインド検出の回数は４０に達し、残りはわずか４回である。次に、端末デバイスは、第３のブラインド検出機会に物理ダウンリンク制御チャネル・ブラインド検出を実行する。第３のブラインド検出機会には物理ダウンリンク制御チャネル１が構成されないことから、端末デバイスは、物理ダウンリンク制御チャネル２のみに対するブラインド検出を実行する必要がある。残りのブラインド検出はわずか４回であることから、集約レベル４の８つの物理ダウンリンク制御チャネル候補と、集約レベル８の６つの物理ダウンリンク制御チャネル候補とに対するブラインド検出を別々に実行することはできない。上記の規則によれば、端末デバイスは、集約レベルの低い順に基づいて物理ダウンリンク制御チャネル・ブラインド検出を実行する。従って、端末デバイスは、集約レベル４の４つの物理ダウンリンク制御チャネル候補に対するブラインド検出を優先的に実行する。
【０１７８】
更に、４つの物理ダウンリンク制御チャネル候補は、予め設定された規則５に従って選択されてよい。例えば、複数の物理ダウンリンク制御チャネル候補の開始制御チャネル要素のシリアル番号の小さい順に基づいて、最初の４つの物理ダウンリンク制御チャネル候補に対するブラインド検出が実行される。
【０１７９】
規則３、規則４、および規則５は、実施形態２における物理ダウンリンク制御チャネル・ブラインド検出のプロセスで組み合わせて使用されることが分かる。
【０１８０】
実施形態２では、ネットワークデバイスにより構成される、全てのブラインド検出機会におけるブラインド検出の回数が等しいが、任意の２回のブラインド検出機会に端末デバイスにより実行されるブラインド検出の回数が必ずしも同じであるとは限らないことを理解されたい。これは、ブラインド検出がブラインド検出の最大回数により限定されるからである。従って、ネットワークデバイスにより構成される、複数のブラインド検出機会におけるブラインド検出の回数が等しいかどうかで、端末デバイスにより実行される、複数のブラインド検出機会における実際のブラインド検出の回数が等しいかどうかが必ずしも決まるとは限らない。
【０１８１】
言い換えると、Ｎ回のブラインド検出機会のうちの何れか２つにおける物理ダウンリンク制御チャネル・ブラインド検出の回数は同じである、または、Ｎ回のブラインド検出機会のうちの少なくとも２つにおける物理ダウンリンク制御チャネル・ブラインド検出の回数は異なる。
【０１８２】
［実施形態３］
引き続き、図３に示す物理ダウンリンク制御チャネル１および物理ダウンリンク制御チャネル２を例として使用する。ネットワークデバイスは、第１時間単位で２つの物理ダウンリンク制御チャネル、すなわち、物理ダウンリンク制御チャネル１および物理ダウンリンク制御チャネル２を送信すると想定される。第１のブラインド検出機会については、２つのダウンリンク制御情報形式の物理ダウンリンク制御チャネルが構成され、第２のブラインド検出機会から第４のブラインド検出機会については、１つのダウンリンク制御情報形式のみの物理ダウンリンク制御チャネルが構成される。従って、第１のブラインド検出機会には、端末デバイスが２つのダウンリンク制御情報形式に基づいて物理ダウンリンク制御チャネル・ブラインド検出を実行してよく、第２のブラインド検出機会から第４のブラインド検出機会には、端末デバイスが１つのダウンリンク制御情報形式に基づいて物理ダウンリンク制御チャネル・ブラインド検出を実行してよい。
【０１８３】
端末デバイスについてネットワークデバイスにより構成される、全てのブラインド検出機会におけるブラインド検出の回数は等しくないと想定される。上記の通り、物理ダウンリンク制御チャネル１については、２つの集約レベル、ＡＬ＝１およびＡＬ＝２が構成され、物理ダウンリンク制御チャネル候補の対応する数は６であり、物理ダウンリンク制御チャネル２については、２つの集約レベル、ＡＬ＝４およびＡＬ＝８が構成される。ネットワークデバイスは、第１のブラインド検出機会、または最後のブラインド検出機会、または任意のブラインド検出機会に対応する物理ダウンリンク制御チャネル候補の数が１である構成と、他のブラインド検出機会に対応する物理ダウンリンク制御チャネル候補の数が５である構成とを実行してよい。従って、ブラインド検出の最大回数４４は構成される。
【０１８４】
端末デバイスは、ネットワークデバイスにより構成される、全てのブラインド検出機会におけるブラインド検出の回数に基づいて、実施形態２に示す規則３、規則４、および規則５など、上に示した規則に従って、ブラインド検出機会に物理ダウンリンク制御チャネル・ブラインド検出を連続的に実行してよい。
【０１８５】
端末デバイスが規則３、規則４、および規則５に従って物理ダウンリンク制御チャネル・ブラインド検出を実行する際の具体的なプロセスは、実施形態２で説明した具体的なプロセスと同様であることを理解されたい。簡潔にするため、ここでは具体的なプロセスに関する詳細な説明を省略する。
【０１８６】
なお、ブラインド検出の最大回数Ｘがブラインド検出機会の数Ｎで割り切れない場合、および、Ｎ回のブラインド検出機会についてネットワークデバイスにより構成される物理ダウンリンク制御チャネル候補の総数がブラインド検出の最大回数Ｘを超える場合には、不均等な割り当て方法が特に適用可能である。
【０１８７】
実施形態１、２、および３との関連で上に示した、集約レベルの低い順と、複数の物理ダウンリンク制御チャネル候補の開始ＣＣＥのシリアル番号の小さい順と、ダウンリンク制御情報形式の優先度とに基づくブラインド検出の実行は、例示的な説明に使用されているに過ぎず、本願へのいかなる制限も設けるものではないことを更に理解されたい。例えば、端末デバイスは代替的に、集約レベルの高い順、または、複数の物理ダウンリンク制御チャネル候補の開始ＣＣＥのシリアル番号の大きい順に基づいて物理ダウンリンク制御チャネル・ブラインド検出を実行してよい。上に示した要因の優先度については、本願では特に限定しない。
【０１８８】
なお、上に示した第１情報における要因の優先度は、プロトコルで定義されてもよいし、ネットワークデバイスにより示されてもよい。これについては本願では限定しない。
【０１８９】
上述の実施形態から、ネットワークデバイスが端末デバイスに複数の物理ダウンリンク制御チャネルを送信する場合は、端末デバイスは、複数の異なるスケジューリング周期に基づいて別々にブラインド検出を実行する必要がないことが分かる。ネットワークデバイスは、上に示した規則のうちの１つまたは複数に従って、物理ダウンリンク制御チャネルを送信するために使用されるリソースを選択してよく、端末デバイスは、上に示した規則のうちの１つまたは複数に従って、複数の異なる物理ダウンリンク制御チャネルに対するブラインド検出を同時に実行してよく、それにより、端末デバイスの検出漏れを防止する。更には、第１時間単位でのブラインド検出の最大回数を定義することにより端末デバイスのブラインド検出の回数が限定され、それにより、端末デバイスのブラインド検出の複雑性を軽減し、ブラインド検出によるエネルギー消費を削減するのに役立つ。
【０１９０】
以上では、１つのスロットが第１時間単位である例を使用することにより、本願の実施形態で提供する通信方法について詳細に説明した。実際、第１時間単位は１つのスロットに限定されるものではなく、代替的に、１つのスロットより短い時間長、例えば、ｋ個のシンボルであってよい。この場合は、第１時間単位が複数のブラインド検出機会を必ずしも含むとは限らない。言い換えると、第１時間単位は、１回のブラインド検出機会のみ、または１回より更に少ないブラインド検出機会を含んでよい。
【０１９１】
例えば、第１時間単位は３つのシンボルであり、１回のブラインド検出機会は３つのシンボルである。この場合は、第１時間単位はまさに１回のブラインド検出機会を含む。代替的に、第１時間単位は３つのシンボルであり、１回のブラインド検出機会は５つのシンボルである。この場合は、第１時間単位は１つより少ないブラインド検出機会を含む。
【０１９２】
この場合は、端末デバイスは、第１時間単位でのブラインド検出の最大回数に基づいて１回のブラインド検出機会におけるブラインド検出の最大回数を決定してよい。例えば、第１時間単位でのブラインド検出の最大回数はＸ回であり、第１時間単位はｋ個のシンボルであり、１回のブラインド検出機会はｄ個（ｄは正の整数である）のシンボルを含む。従って、ブラインド検出機会におけるブラインド検出の最大回数はＸ／ｋ＊ｄである。Ｘがｋ＊ｄで割り切れない場合は、Ｘ／ｋ＊ｄに対する切り上げ、切り捨て、または四捨五入が実行されてよい。これについては本願では限定しない。
【０１９３】
［実施形態４］
図８は、ブラインド検出周期の別の概略図である。図８は、制御リソースセット上で２つのダウンリンク制御情報形式の物理ダウンリンク制御チャネルを送信する際の概略図である。物理ダウンリンク制御チャネル１のスケジューリング周期が１つのスロットであってよく、物理ダウンリンク制御チャネル２のスケジューリング周期が３つのシンボルであってよい。第１時間単位も３つのシンボルであり、第１時間単位でのブラインド検出の最大回数は１６であると想定される。
【０１９４】
従って、端末デバイスは、各ブラインド検出機会におけるブラインド検出の最大回数が１６／３＊３＝１６であると決定してよい。
【０１９５】
第１のブラインド検出機会については、２つのダウンリンク制御情報形式の物理ダウンリンク制御チャネル、すなわち、物理ダウンリンク制御チャネル１および物理ダウンリンク制御チャネル２が構成され、第２のブラインド検出機会から第４のブラインド検出機会については、１つのダウンリンク制御情報形式のみの物理ダウンリンク制御チャネル、すなわち、物理ダウンリンク制御チャネル２が構成されると想定される。従って、第１のブラインド検出機会には、端末デバイスが２つのダウンリンク制御情報形式に基づいて物理ダウンリンク制御チャネル・ブラインド検出を実行してよく、第２のブラインド検出機会から第４のブラインド検出機会には、端末デバイスが１つのダウンリンク制御情報形式に基づいて物理ダウンリンク制御チャネル・ブラインド検出を実行してよい。
【０１９６】
端末デバイスについてネットワークデバイスにより構成される、全てのブラインド検出機会におけるブラインド検出の回数は等しいと想定される。上記の通り、物理ダウンリンク制御チャネル１については、２つの集約レベル、ＡＬ＝１およびＡＬ＝２が構成され、物理ダウンリンク制御チャネル候補の対応する数は６であり、物理ダウンリンク制御チャネル２については、２つの集約レベル、ＡＬ＝４およびＡＬ＝８が構成され、ＡＬ＝４に対応する物理ダウンリンク制御チャネル候補の数は８であり、ＡＬ＝８に対応する物理ダウンリンク制御チャネル候補の数は６である。
【０１９７】
規則３および規則４に従って、端末デバイスはまず、ブラインド検出が優先的に実行されるダウンリンク制御情報形式を決定し、次に、ブラインド検出が優先的に実行されるダウンリンク制御情報形式に対応する集約レベルと、対応する物理ダウンリンク制御チャネル候補の数とに基づいてブラインド検出を実行してよい。ブラインド検出が優先的に実行されるダウンリンク制御情報形式が物理ダウンリンク制御チャネル１であると仮定すると、端末デバイスはまず、集約レベル１および集約レベル２に基づいて第１のブラインド検出機会にブラインド検出を実行する。更に、端末デバイスは、集約レベルの優先順位に基づいて、例えば、集約レベルの低い順に基づいて物理ダウンリンク制御チャネル・ブラインド検出を実行してよい。従って、優先的に集約レベル１に基づいて、集約レベル１の６つの物理ダウンリンク制御チャネル候補に対するブラインド検出が実行され、次に集約レベル２に基づいて、集約レベル２の６つの物理ダウンリンク制御チャネル候補に対するブラインド検出が実行される。物理ダウンリンク制御チャネル１のブラインド検出の後、端末デバイスのブラインド検出の回数は１２に達し、残りはわずか４回である。従って、物理ダウンリンク制御チャネル２の２つの集約レベルの両方についてブラインド検出を実行することはできない。
【０１９８】
端末デバイスは、優先的に集約レベル４に基づいて、規則４に従って集約レベルの小さい順に基づいて集約レベル４の４つの物理ダウンリンク制御チャネル候補に対するブラインド検出を実行してよい。４つの物理ダウンリンク制御チャネル候補は、規則５に従って端末デバイスにより決定されてよい。
【０１９９】
端末デバイスが規則３、規則４、および規則５に従って物理ダウンリンク制御チャネル・ブラインド検出を実行する際の具体的なプロセスは、実施形態２との関連で上述の内容において説明した具体的なプロセスと同様である。簡潔にするため、ここでは具体的なプロセスに関する詳細な説明を省略する。
【０２００】
端末デバイスについてネットワークデバイスにより構成される、全てのブラインド検出機会におけるブラインド検出の回数が等しいと想定することにより、上述の実施形態は説明されているが、これは本願へのいかなる制限も設けるものではないことを理解されたい。
【０２０１】
上述の実施形態からは、第１時間単位が１つのスロットに限定されるものではなく、代替的に、１つのスロットより短いｋ個のシンボルであってよいことが分かる。第１時間単位が１回のブラインド検出機会のみ、またはブラインド検出機会の一部を含む場合であっても、端末デバイスは、第１時間単位でのブラインド検出の最大回数に基づいて１回のブラインド検出機会におけるブラインド検出の最大回数を推測してよい。加えて、第１時間単位の定義は比較的柔軟である。更には、各ブラインド検出機会における端末デバイスのブラインド検出の回数が限定され、それにより、端末デバイスのブラインド検出の複雑性を軽減し、ブラインド検出によるエネルギー消費を削減するのに役立つ。
【０２０２】
以上では、図２から図８を参照しながら、本願の実施形態で提供する通信方法について詳細に説明した。以下では、図９から図１２を参照しながら、本願の複数の実施形態で提供する端末デバイスおよびネットワークデバイスについて詳細に説明する。
【０２０３】
図９は、本願のある実施形態に係る端末デバイス５００の概略ブロック図である。図９に示す通り、端末デバイス５００は、決定モジュール５１０と、ブラインド検出モジュール５２０とを含む。
【０２０４】
決定モジュール５１０は、第１時間単位でのブラインド検出の最大回数を決定するように構成され、第１時間単位は１つまたは複数のシンボルである。
【０２０５】
ブラインド検出モジュール５２０は、ｉ番目のブラインド検出機会に物理ダウンリンク制御チャネル・ブラインド検出を実行するように構成され、第１時間単位はＮ回のブラインド検出機会を含み、Ｎ回のブラインド検出機会に端末デバイスにより実行される物理ダウンリンク制御チャネル・ブラインド検出の回数は、ブラインド検出の最大回数より少ないか等しい。
【０２０６】
ｉおよびＮは正の整数であり、ｉ≦Ｎであり、Ｎ≧２である。
【０２０７】
具体的に言うと、端末デバイス５００は、本願の実施形態に係る通信方法２００における端末デバイスに対応してよい。端末デバイス５００は、図２の通信方法２００における端末デバイスにより実行される方法を実行するように構成されるモジュールを含んでよい。加えて、端末デバイス５００内のモジュール、並びに、上述の他の動作および／または機能は、図２における基準信号の送受信方法２００の対応するプロセスを実装するために別々に使用される。具体的に言うと、決定モジュール５１０は、方法２００の段階２１０を実行するように構成され、ブラインド検出モジュール５２０は、方法２００の段階２４０を実行するように構成される。モジュールが上述の対応する段階を実行する際の具体的なプロセスについては、方法２００で詳細に説明した。簡潔にするため、詳細についてはここで改めて説明しない。
【０２０８】
図１０は、本願のある実施形態に係る端末デバイス６００の概略構造図である。端末デバイス６００は、上述の実施形態における全ての方法を実行することができる。従って、端末デバイス６００の具体的な詳細については、上述の実施形態における説明を参照されたい。繰り返しを避けるべく、詳細についてはここで改めて説明しない。図１０に示す端末デバイス６００は、メモリ６１０と、プロセッサ６２０と、入出力インタフェース６３０と、トランシーバ６４０とを含んでよい。メモリ６１０、プロセッサ６２０、入出力インタフェース６３０、およびトランシーバ６４０は、内部接続パスを通じて互いに接続される。メモリ６１０は、命令を記憶するように構成される。プロセッサ６２０は、メモリ６２０に記憶された命令を実行して、入力されたデータおよび情報を受信し、かつ、演算結果などのデータを出力するように入出力インタフェース６３０を制御することと、信号を送信するようにトランシーバ６４０を制御することとを行うように構成される。
【０２０９】
プロセッサ６２０は、第１の時間モジュールにおけるブラインド検出の最大回数を決定するように構成され、第１の時間モジュールは１つまたは複数のシンボルである。
【０２１０】
プロセッサ６２０は更に、ｉ番目のブラインド検出機会に物理ダウンリンク制御チャネル・ブラインド検出を実行するように構成され、第１の時間モジュールはＮ回のブラインド検出機会を含み、Ｎ回のブラインド検出機会に端末デバイスにより実行される物理ダウンリンク制御チャネル・ブラインド検出の回数は、ブラインド検出の最大回数より少ないか等しい。
【０２１１】
ｉおよびＮは正の整数であり、ｉ≦Ｎであり、Ｎ≧２である。
【０２１２】
具体的に言うと、端末デバイス６００は、本願の実施形態に係る通信方法２００における端末デバイスに対応してよい。端末デバイス６００は、図２の通信方法２００における端末デバイスにより実行される方法を実行するように構成されるモジュールを含んでよい。加えて、端末デバイス６００内のモジュール、並びに、上述の他の動作および／または機能は、図３における基準信号の送受信方法２００の対応するプロセスを実装するために別々に使用される。具体的に言うと、プロセッサ６２０は、方法２００の段階２１０から段階２４０を実行するように構成され、トランシーバ６４０は、方法２００の段階２１０１を実行するように構成される。モジュールが上述の対応する段階を実行する際の具体的なプロセスについては、方法２００で詳細に説明した。簡潔にするため、詳細についてはここで改めて説明しない。
【０２１３】
本願のこの実施形態では、プロセッサ６２０は、本願の実施形態で提供する技術的解決策を実装すべく関連プログラムを実行するように構成される汎用中央処理装置（Ｃｅｎｔｒａｌ  Ｐｒｏｃｅｓｓｉｎｇ  Ｕｎｉｔ、ＣＰＵ）、マイクロプロセッサ、特定用途向け集積回路（Ａｐｐｌｉｃａｔｉｏｎ−Ｓｐｅｃｉｆｉｃ  Ｉｎｔｅｇｒａｔｅｄ  Ｃｉｒｃｕｉｔ、ＡＳＩＣ）、または、１つまたは複数の集積回路であってよいことを理解されたい。
【０２１４】
トランシーバ６４０は通信インタフェースとしても見なされ、例えば、以下に限定するわけではないが、端末デバイス６００と、別のデバイスまたは通信ネットワークとの間の通信を実装するトランシーバタイプのトランシーバ装置であることを更に理解されたい。
【０２１５】
メモリ６１０は、リードオンリメモリと、ランダムアクセスメモリとを含み、プロセッサ６２０に命令およびデータを提供してよい。プロセッサ６２０の一部が更に、不揮発性ランダムアクセスメモリを含んでよい。例えば、プロセッサ６２０は更に、デバイスタイプに関する情報を記憶してよい。
【０２１６】
図１１は、本願のある実施形態に係るネットワークデバイス７００の概略ブロック図である。図１１に示す通り、ネットワークデバイス７００は送信モジュール７１０を含む。
【０２１７】
送信モジュール７１０は構成情報を送信するように構成され、構成情報は、第１時間単位内のＮ回のブラインド検出機会の各々におけるブラインド検出の回数を決定するために使用され、第１時間単位はＮ回のブラインド検出機会を含む。
【０２１８】
送信モジュール７１０は更に、Ｎ回のブラインド検出機会のうちのｉ番目のブラインド検出機会に少なくとも１つの物理ダウンリンク制御チャネルを送信するように構成され、第１時間単位は１つまたは複数のシンボルである。
【０２１９】
ｉおよびＮは正の整数であり、ｉ≦Ｎであり、Ｎ≧２である。
【０２２０】
具体的に言うと、ネットワークデバイス７００は、本願の実施形態に係る通信方法２００におけるネットワークデバイスに対応してよい。ネットワークデバイス７００は、図２の通信方法２００におけるネットワークデバイスにより実行される方法を実行するように構成されるモジュールを含んでよい。加えて、ネットワークデバイス７００内のモジュール、並びに、上述の他の動作および／または機能は、図３における基準信号の送受信方法２００の対応するプロセスを実装するために別々に使用される。具体的に言うと、送信モジュール７１０は、方法２００の段階２１０、段階２１０１、段階２２０、および段階２３０を実行するように構成される。モジュールが上述の対応する段階を実行する際の具体的なプロセスについては、方法２００で詳細に説明した。簡潔にするため、詳細についてはここで改めて説明しない。
【０２２１】
図１２は、本願のある実施形態に係るネットワークデバイス８００の概略構造図である。図１２に示すネットワークデバイス８００は、メモリ８１０と、プロセッサ８２０と、入出力インタフェース８３０と、トランシーバ８４０とを含んでよい。メモリ８１０、プロセッサ８２０、入出力インタフェース８３０、およびトランシーバ８４０は、内部接続パスを通じて互いに接続される。メモリ８１０は、命令を記憶するように構成される。プロセッサ８２０は、メモリ８２０に記憶された命令を実行して、入力されたデータおよび情報を受信し、かつ、演算結果などのデータを出力するように入出力インタフェース８３０を制御することと、信号を送信するようにトランシーバ８４０を制御することとを行うように構成される。
【０２２２】
トランシーバ８４０は構成情報を送信するように構成され、構成情報は、第１時間単位内のＮ回のブラインド検出機会の各々におけるブラインド検出の回数を決定するために使用され、第１時間単位はＮ回のブラインド検出機会を含む。
【０２２３】
トランシーバ８４０は更に、Ｎ回のブラインド検出機会のうちのｉ番目のブラインド検出機会に少なくとも１つの物理ダウンリンク制御チャネルを送信するように構成され、第１時間単位は１つまたは複数のシンボルである。
【０２２４】
ｉおよびＮは正の整数であり、ｉ≦Ｎであり、Ｎ≧２である。
【０２２５】
本願のこの実施形態では、プロセッサ８２０は、関連プログラムを実行して、本願の実施形態で提供する技術的解決策を実装するように構成される汎用中央処理装置（ｃｅｎｔｒａｌ  ｐｒｏｃｅｓｓｉｎｇ  ｕｎｉｔ、ＣＰＵ）、マイクロプロセッサ、特定用途向け集積回路（ａｐｐｌｉｃａｔｉｏｎ  ｓｐｅｃｉｆｉｃ  ｉｎｔｅｇｒａｔｅｄ  ｃｉｒｃｕｉｔ、ＡＳＩＣ）、または、１つまたは複数の集積回路であってよいことを理解されたい。
【０２２６】
トランシーバ８４０は通信インタフェースとしても見なされ、例えば、以下に限定するわけではないが、ネットワークデバイス８００と、別のデバイスまたは通信ネットワークとの間の通信を実装するトランシーバタイプのトランシーバ装置であることを更に理解されたい。
【０２２７】
メモリ８１０は、リードオンリメモリと、ランダムアクセスメモリとを含み、プロセッサ８２０に命令およびデータを提供してよい。プロセッサ８２０の一部が更に、不揮発性ランダムアクセスメモリを含んでよい。例えば、プロセッサ８２０は更に、デバイスタイプに関する情報を記憶してよい。
【０２２８】
ある実装プロセスでは、プロセッサ内のハードウェア集積論理回路を使用することにより、または、ソフトウェアの形態の命令を使用することにより、上述の方法における段階が実装され得る。本願の実施形態との関連で開示する通信方法は、ハードウェアプロセッサにより直接実行されてもよいし、プロセッサ内のハードウェアとソフトウェアモジュールとの組み合わせを使用することにより実行されてもよい。ソフトウェアモジュールは、ランダムアクセスメモリ、フラッシュメモリ、リードオンリメモリ、プログラマブルリードオンリメモリ、電気的消去可能プログラマブルメモリ、またはレジスタなど、当該分野における成熟した記憶媒体に配置されてよい。記憶媒体はメモリに配置され、プロセッサはメモリ内の情報を読み取り、プロセッサのハードウェアと組み合わせて上述の方法における段階を完了する。繰り返しを避けるべく、詳細についてはここで改めて説明しない。
【０２２９】
本願の実施形態におけるプロセッサは、中央処理装置（ＣＰＵ）であってもよいし、別の汎用プロセッサ、デジタル信号プロセッサ（ｄｉｇｉｔａｌ  ｓｉｇｎａｌ  ｐｒｏｃｅｓｓｏｒ、ＤＳＰ）、特定用途向け集積回路（ＡＳＩＣ）、フィールドプログラマブルゲートアレイ（ｆｉｅｌｄ  ｐｒｏｇｒａｍｍａｂｌｅ  ｇａｔｅ  ａｒｒａｙ、ＦＰＧＡ）、もしくは、別のプログラマブル論理デバイス、ディスクリートのゲートまたはトランジスタ論理デバイス、ディスクリートのハードウェアコンポーネント、または同様のものであってもよいことを理解されたい。汎用プロセッサはマイクロプロセッサであってよい、または、プロセッサは任意の従来型プロセッサまたは同様のものであってよい。
【０２３０】
本願の実施形態におけるプロセッサは、中央処理装置（ｃｅｎｔｒａｌ  ｐｒｏｃｅｓｓｉｎｇ  ｕｎｉｔ、ＣＰＵ）であってもよいし、別の汎用プロセッサ、デジタル信号プロセッサ（ｄｉｇｉｔａｌ  ｓｉｇｎａｌ  ｐｒｏｃｅｓｓｏｒ、ＤＳＰ）、特定用途向け集積回路（ａｐｐｌｉｃａｔｉｏｎ  ｓｐｅｃｉｆｉｃ  ｉｎｔｅｇｒａｔｅｄ  ｃｉｒｃｕｉｔ、ＡＳＩＣ）、フィールドプログラマブルゲートアレイ（ｆｉｅｌｄ  ｐｒｏｇｒａｍｍａｂｌｅ  ｇａｔｅ  ａｒｒａｙ、ＦＰＧＡ）、もしくは、別のプログラマブル論理デバイス、ディスクリートのゲートまたはトランジスタ論理デバイス、ディスクリートのハードウェアコンポーネント、または同様のものであってもよいことを理解されたい。汎用プロセッサはマイクロプロセッサであってよい、または、プロセッサは任意の従来型プロセッサまたは同様のものであってよい。
【０２３１】
本願の実施形態におけるメモリは、揮発性メモリまたは不揮発性メモリであってもよいし、揮発性メモリおよび不揮発性メモリの両方を含んでもよいことを更に理解されたい。不揮発性メモリは、リードオンリメモリ（ｒｅａｄ−ｏｎｌｙ  ｍｅｍｏｒｙ、ＲＯＭ）、プログラマブルリードオンリメモリ（ｐｒｏｇｒａｍｍａｂｌｅ  ＲＯＭ、ＰＲＯＭ）、消去可能プログラマブルリードオンリメモリ（ｅｒａｓａｂｌｅ  ＰＲＯＭ、ＥＰＲＯＭ）、電気的消去可能プログラマブルリードオンリメモリ（ｅｌｅｃｔｒｉｃａｌｌｙ  ＥＰＲＯＭ、ＥＥＰＲＯＭ）、またはフラッシュメモリであってよい。揮発性メモリは、外部キャッシュとして使用されるランダムアクセスメモリ（ｒａｎｄｏｍ  ａｃｃｅｓｓ  ｍｅｍｏｒｙ、ＲＡＭ）であってよい。制限的な説明ではなく例として、ランダムアクセスメモリ（ｒａｎｄｏｍ  ａｃｃｅｓｓ  ｍｅｍｏｒｙ、ＲＡＭ）の多くの形態、例えば、スタティックランダムアクセスメモリ（ｓｔａｔｉｃ  ＲＡＭ、ＳＲＡＭ）、ダイナミックランダムアクセスメモリ（ＤＲＡＭ）、同期型ダイナミックランダムアクセスメモリ（ｓｙｎｃｈｒｏｎｏｕｓ  ＤＲＡＭ、ＳＤＲＡＭ）、ダブルデータレート同期型ダイナミックランダムアクセスメモリ（ｄｏｕｂｌｅ  ｄａｔａ  ｒａｔｅ  ＳＤＲＡＭ、ＤＤＲ  ＳＤＲＡＭ）、高速同期型ダイナミックランダムアクセスメモリ（ｅｎｈａｎｃｅｄ  ＳＤＲＡＭ、ＥＳＤＲＡＭ）、シンクリンク・ダイナミックランダムアクセスメモリ（ｓｙｎｃｈｌｉｎｋ  ＤＲＡＭ、ＳＬＤＲＡＭ）、およびダイレクトランバス・ランダムアクセスメモリ（ｄｉｒｅｃｔ  ｒａｍｂｕｓ  ＲＡＭ、ＤＲ  ＲＡＭ）が使用されてよい。
【０２３２】
上述の実施形態の全てまたは幾つかが、ソフトウェア、ハードウェア、ファームウェア、またはこれらの任意の組み合わせを使用することにより実装されてよい。ソフトウェアが実装に使用される場合は、上述の実施形態は、コンピュータプログラム製品の形態で完全にまたは部分的に実装されてよい。コンピュータプログラム製品は、１つまたは複数のコンピュータ命令を含む。コンピュータプログラム命令がコンピュータでロードおよび実行されると、本願の実施形態に係る手順または機能が全てまたは部分的に生成される。コンピュータは、汎用コンピュータ、特定用途向けコンピュータ、コンピュータネットワーク、または他のプログラマブル装置であってよい。コンピュータ命令はコンピュータ可読記憶媒体に記憶されてもよいし、コンピュータ可読記憶媒体から別のコンピュータ可読記憶媒体に伝送されてもよい。例えば、コンピュータ命令は、有線（例えば、赤外線、無線、またはマイクロ波）方式で、あるウェブサイト、コンピュータ、サーバ、またはデータセンタから別のウェブサイト、コンピュータ、サーバ、またはデータセンタに伝送されてよい。コンピュータ可読記憶媒体は、コンピュータからアクセス可能な任意の使用可能な媒体、または、１つまたは複数の使用可能な媒体を統合する、サーバまたはデータセンタなどのデータ記憶デバイスであってよい。使用可能な媒体は、磁気媒体（例えば、フロッピー（登録商標）ディスク、ハードディスク、または磁気テープ）、光学媒体（例えば、ＤＶＤ）、または半導体媒質であってよい。半導体媒質はソリッドステートドライブであってよい。
【０２３３】
本明細書における「および／または」という用語は、関連対象物を説明するための対応関係のみを説明するものであり、３つの関係が存在し得ることを表すことを理解されたい。例えば、Ａおよび／またはＢは、Ａのみが存在する、ＡおよびＢの両方が存在する、および、Ｂのみが存在するという３つの場合を表し得る。加えて、本明細書における「／」という文字は概して、関連対象物間の「または」の関係を示す。
【０２３４】
上述のプロセスの順序番号は、本願の様々な実施形態における実行順序を意味するものではないことを理解されたい。プロセスの実行順序は、プロセスの機能および内部論理に基づいて決定されるべきであり、本願の実施形態の実装プロセスへのいかなる制限も設けないものとする。
【０２３５】
当業者であれば、本明細書で開示する実施形態との関連で説明した例におけるユニットおよびアルゴリズム段階が、電子ハードウェア、または、コンピュータソフトウェアと電子ハードウェアとの組み合わせにより実装され得ることに気付くかもしれない。これらの機能がハードウェアにより実行されるかソフトウェアにより実行されるかは、技術的解決策の特定の適用および設計上の制約によって決まる。当業者であれば、複数の異なる方法を使用して、説明されている機能を特定の適用ごとに実装できるが、係る実装が本願の範囲を超えるものと見なされるべきではない。
【０２３６】
当業者であれば、説明を容易かつ簡潔にするために、上述のシステム、装置、およびユニットの詳細な作動プロセスについて、上述の方法の実施形態における対応するプロセスが参照され得ることを明確に理解するかもしれない。詳細についてはここで改めて説明しない。
【０２３７】
本願において提供する幾つかの実施形態では、開示されているシステム、装置、および方法が他の方式で実装され得ることを理解されたい。例えば、説明されている装置の実施形態は例に過ぎない。例えば、ユニットの分割は論理機能の分割に過ぎず、実際の実装においては他の分割であってよい。例えば、複数のユニットまたはコンポーネントが組み合わされてもよいし、別のシステムに統合されてもよい、または、幾つかの特徴が無視されるか、もしくは実行されなくてよい。加えて、表示または議論されている相互結合もしくは直接結合または通信接続は、幾つかのインタフェースを使用することにより実装されてよい。装置間またはユニット間の間接結合または通信接続は、電気的な形態、機械的な形態、または他の形態で実装されてよい。
【０２３８】
別個の部分として説明されているユニットは、物理的に別個のものであってもなくてもよい、かつ、ユニットとして表示されている部分は、物理的なユニットであってもなくてもよいし、１つの位置に配置されてもよいし、複数のネットワークユニットに分散されてもよい。これらの実施形態における解決策の目的を達成すべく、これらのユニットの幾つかまたは全てが実際の要件に応じて選択されてよい。
【０２３９】
加えて、本願の実施形態における機能ユニットが１つの処理ユニットに統合されてもよいし、これらのユニットの各々が物理的に単独で存在してもよいし、２つまたはそれより多くのユニットが１つのユニットに統合されてもよい。
【０２４０】
これらの機能がソフトウェア機能ユニットの形態で実装され、独立した製品として販売または使用される場合は、これらの機能はコンピュータ可読記憶媒体に記憶されてよい。係る理解に基づいて、本願の技術的解決策は本質的に、または従来技術に寄与する部分が、またはこれらの技術的解決策の幾つかが、ソフトウェア製品の形態で実装されてよい。コンピュータソフトウェア製品は記憶媒体に記憶され、本願の実施形態で説明する方法の段階の全てまたは幾つかを実行するようコンピュータデバイス（パーソナルコンピュータ、サーバ、ネットワークデバイス、または同様のものであってよい）に指示するための幾つかの命令を含む。上述の記憶媒体は、ＵＳＢフラッシュドライブ、リムーバブルハードディスク、リードオンリメモリ（ｒｅａｄ−ｏｎｌｙ  ｍｅｍｏｒｙ、ＲＯＭ）、ランダムアクセスメモリ（ｒａｎｄｏｍ  ａｃｃｅｓｓ  ｍｅｍｏｒｙ、ＲＡＭ）、磁気ディスク、またはコンパクトディスクなどのプログラムコードを記憶できる任意の媒体を含む。
【０２４１】
上述の説明は本願の具体的な実装に過ぎず、本願の保護範囲を限定することを意図するものではない。本願で開示する技術的範囲内で当業者が容易に考え付く変形または置換は何れも、本願の保護範囲に含まれるものとする。従って、本願の保護範囲は特許請求の範囲の保護範囲の対象になるものとする。
【図１】
2020533834.tif 000006
【図２】
2020533834.tif 000007
【図３】
2020533834.tif 000008
【図４】
2020533834.tif 000009
【図５】
2020533834.tif 000010
【図６】
2020533834.tif 000011
【図７】
2020533834.tif 000012
【図８】
2020533834.tif 000013
【図９】
2020533834.tif 000014
【図１０】
2020533834.tif 000015
【図１１】
2020533834.tif 000016
【図１２】
2020533834.tif 000017
【手続補正書】
【提出日】令和2年3月10日(2020.3.10)
【手続補正１】
【補正対象書類名】特許請求の範囲
【補正対象項目名】全文
【補正方法】変更
【補正の内容】
【特許請求の範囲】
【請求項１】
通信方法であって、
端末デバイスが第１時間単位でのブラインド検出の最大回数を決定する段階であって、前記第１時間単位は１つまたは複数のシンボルであり、前記第１時間単位はＮ回のブラインド検出機会を含み、前記Ｎ回のブラインド検出機会に前記端末デバイスにより実行される物理ダウンリンク制御チャネル（ＰＤＣＣＨ）ブラインド検出の回数が、前記ブラインド検出の最大回数より少ないか等しく、Ｎは正の整数であり、Ｎ≧２である、段階と、
前記端末デバイスが前記Ｎ回のブラインド検出機会のうちのｉ番目のブラインド検出機会に物理ダウンリンク制御チャネル・ブラインド検出を実行する段階と
を備え、
ｉは正の整数であり、ｉ≦Ｎである、
方法。
【請求項２】
前記端末デバイスがネットワークデバイスから構成情報を受信する段階を更に備え、前記構成情報は、前記Ｎ回のブラインド検出機会の各ブラインド検出機会におけるブラインド検出の回数を決定するために使用される、
請求項１に記載の方法。
【請求項３】
前記端末デバイスが前記Ｎ回のブラインド検出機会のうちの前記ｉ番目のブラインド検出機会にＰＤＣＣＨブラインド検出を実行する前記段階は、
前記端末デバイスが第１情報に基づいて前記ｉ番目のブラインド検出機会に物理ダウンリンク制御チャネル・ブラインド検出を実行する段階を有し、前記第１情報は、制御リソースセットの構成情報、探索空間タイプ、ダウンリンク制御情報の形式、前記ダウンリンク制御情報に対応する集約レベル、および、同じ集約レベルの複数の物理ダウンリンク制御チャネル候補の開始制御チャネル要素のシリアル番号のうちの少なくとも１つを含む、
請求項１または２に記載の方法。
【請求項４】
前記第１情報は前記制御リソースセットの前記構成情報を含み、前記制御リソースセットは２つのスロットに跨らない、請求項３に記載の方法。
【請求項５】
前記第１情報は前記探索空間タイプを含み、
前記端末デバイスが第１情報に基づいて前記ｉ番目のブラインド検出機会に物理ダウンリンク制御チャネル・ブラインド検出を実行する前記段階は、
前記端末デバイスが前記ｉ番目のブラインド検出機会に探索空間タイプの優先度に基づいて複数の探索空間で物理ダウンリンク制御チャネル・ブラインド検出を実行する段階を含み、前記探索空間タイプは、共通探索空間およびユーザ固有探索空間を含む、
請求項３または４に記載の方法。
【請求項６】
前記共通探索空間の優先度が前記ユーザ固有探索空間の優先度より高い、請求項５に記載の方法。
【請求項７】
前記ブラインド検出の最大回数は予め定義されている、請求項１から６の何れか一項に記載の方法。
【請求項８】
通信方法であって、
ネットワークデバイスが構成情報を送信する段階であって、前記構成情報は、第１時間単位内のＮ回のブラインド検出機会の各々におけるブラインド検出の回数を示すために使用され、前記第１時間単位は１つまたは複数のシンボルであり、前記第１時間単位は前記Ｎ回のブラインド検出機会を含み、Ｎは正の整数であり、Ｎ≧２である、段階と、
前記ネットワークデバイスが前記Ｎ回のブラインド検出機会のうちのｉ番目のブラインド検出機会に少なくとも１つの物理ダウンリンク制御チャネルを送信する段階であって、ｉは正の整数であり、ｉ≦Ｎである、段階と
を備える方法。
【請求項９】
前記ネットワークデバイスが前記Ｎ回のブラインド検出機会のうちの前記ｉ番目のブラインド検出機会に少なくとも１つの物理ダウンリンク制御チャネルを送信する前記段階は、
前記ネットワークデバイスが第１情報に基づいて前記ｉ番目のブラインド検出機会に前記少なくとも１つの物理ダウンリンク制御チャネルを送信する段階を有し、前記第１情報は、制御リソースセットの構成情報、探索空間タイプ、ダウンリンク制御情報の形式、前記ダウンリンク制御情報に対応する集約レベル、および、同じ集約レベルの複数の物理ダウンリンク制御チャネル候補の開始制御チャネル要素のシリアル番号のうちの少なくとも１つを含む、
請求項８に記載の方法。
【請求項１０】
前記第１情報は前記制御リソースセットの前記構成情報を含み、前記制御リソースセットは２つのスロットに跨らない、請求項９に記載の方法。
【請求項１１】
前記第１情報は前記探索空間タイプを含み、
前記ネットワークデバイスが前記ｉ番目のブラインド検出機会に少なくとも１つのＰＤＣＣＨを送信する前記段階は、
前記ネットワークデバイスが前記Ｎ回のブラインド検出機会のうちの前記ｉ番目のブラインド検出機会に探索空間タイプの優先度に基づいて、利用可能な探索空間を選択し、前記利用可能な探索空間で前記少なくとも１つのＰＤＣＣＨを送信する段階を有し、前記探索空間タイプは、共通探索空間およびユーザ固有探索空間を含む、
請求項９または１０に記載の方法。
【請求項１２】
前記共通探索空間の優先度が前記ユーザ固有探索空間の優先度より高い、請求項１１に記載の方法。
【請求項１３】
コンピュータに、請求項１から１２の何れか一項に記載の方法を実行させるためのプログラム。
【請求項１４】
コンピュータで実行可能なプログラムコードを記憶するように構成されるメモリと、通信インタフェースと、プロセッサとを備える通信装置であって、前記プロセッサは前記メモリおよび前記通信インタフェースに結合され、前記メモリに記憶された前記プログラムコードは命令を含み、前記プロセッサが前記命令を実行すると、前記通信装置に、請求項１から７の何れか一項に記載の方法を実行させることができる、通信装置。
【請求項１５】
コンピュータで実行可能なプログラムコードを記憶するように構成されるメモリと、通信インタフェースと、プロセッサとを備える通信装置であって、前記プロセッサは前記メモリおよび前記通信インタフェースに結合され、前記メモリに記憶された前記プログラムコードは命令を含み、前記プロセッサが前記命令を実行すると、前記通信装置に、請求項８から１２の何れか一項に記載の方法を実行させることができる、通信装置。
【請求項１６】
トランシーバと、プロセッサと、メモリとを備える端末デバイスであって、前記端末デバイスが請求項１から７の何れか一項に記載の方法を実行するように、前記プロセッサは、前記トランシーバを制御して信号を送受信するように構成され、前記メモリは、コンピュータプログラムを記憶するように構成され、前記プロセッサは、前記メモリから前記コンピュータプログラムを呼び出し、前記コンピュータプログラムを実行するように構成される、端末デバイス。
【請求項１７】
トランシーバと、プロセッサと、メモリとを備えるネットワークデバイスであって、前記ネットワークデバイスが請求項８から１２の何れか一項に記載の方法を実行するように、前記プロセッサは、前記トランシーバを制御して信号を送受信するように構成され、前記メモリは、コンピュータプログラムを記憶するように構成され、前記プロセッサは、前記メモリから前記コンピュータプログラムを呼び出し、前記コンピュータプログラムを実行するように構成される、ネットワークデバイス。
【請求項１８】
請求項１から７の何れか一項に記載の方法を実装するための手段を備える端末デバイス。
【請求項１９】
請求項８から１２の何れか一項に記載の方法を実装するための手段を備えるネットワークデバイス。
【手続補正２】
【補正対象書類名】明細書
【補正対象項目名】００６３
【補正方法】変更
【補正の内容】
【００６３】
ネットワークデバイス１０２は、無線送受信機能を有する任意のデバイス、または、係るデバイスに設置され得るチップであってよいことを理解されたい。デバイスは、以下に限定するわけではないが、基地局（ノードＢ（ＮｏｄｅＢ）、進化型ノードＢ（ｅＮｏｄｅＢ）など）、または第５世代（ｆｉｆｔｈ−ｇｅｎｅｒａｔｉｏｎ、５Ｇ）通信システムでのネットワークデバイス（伝送ポイント（ｔｒａｎｓｍｉｓｓｉｏｎ  ｐｏｉｎｔ、ＴＰ）、伝送受信ポイント（ｔｒａｎｓｍｉｓｓｉｏｎ  ｒｅｃｅｐｔｉｏｎ  ｐｏｉｎｔ、ＴＲＰ）、基地局、またはスモールセルデバイスなど）、将来の通信システムでのネットワークデバイス、ワイヤレスフィデリティ（ｗｉｒｅｌｅｓｓ  ｆｉｄｅｌｉｔｙ、Ｗｉ−Ｆｉ）システムでのアクセスノード、無線中継ノード、または無線バックホールノード、および同様のものを含む。
【手続補正３】
【補正対象書類名】明細書
【補正対象項目名】０１６５
【補正方法】変更
【補正の内容】
【０１６５】
同じダウンリンク制御情報形式が少なくとも２つの集約レベル、例えば、集約レベル４および集約レベル８に対応する場合は、集約レベルの低い順に基づいてブラインド検出が実行される。従って、集約レベル４の複数の物理ダウンリンク制御チャネル候補に対するブラインド検出が優先的に実行され、次に、集約レベル８の複数の物理ダウンリンク制御チャネル候補に対するブラインド検出が実行される。
【手続補正４】
【補正対象書類名】明細書
【補正対象項目名】０２０８
【補正方法】変更
【補正の内容】
【０２０８】
図１０は、本願のある実施形態に係る端末デバイス６００の概略構造図である。端末デバイス６００は、上述の実施形態における全ての方法を実行することができる。従って、端末デバイス６００の具体的な詳細については、上述の実施形態における説明を参照されたい。繰り返しを避けるべく、詳細についてはここで改めて説明しない。図１０に示す端末デバイス６００は、メモリ６１０と、プロセッサ６２０と、入出力インタフェース６３０と、トランシーバ６４０とを含んでよい。メモリ６１０、プロセッサ６２０、入出力インタフェース６３０、およびトランシーバ６４０は、内部接続パスを通じて互いに接続される。メモリ６１０は、命令を記憶するように構成される。プロセッサ６２０は、メモリ６１０に記憶された命令を実行して、入力されたデータおよび情報を受信し、かつ、演算結果などのデータを出力するように入出力インタフェース６３０を制御することと、信号を送信するようにトランシーバ６４０を制御することとを行うように構成される。
【手続補正５】
【補正対象書類名】明細書
【補正対象項目名】０２２１
【補正方法】変更
【補正の内容】
【０２２１】
図１２は、本願のある実施形態に係るネットワークデバイス８００の概略構造図である。図１２に示すネットワークデバイス８００は、メモリ８１０と、プロセッサ８２０と、入出力インタフェース８３０と、トランシーバ８４０とを含んでよい。メモリ８１０、プロセッサ８２０、入出力インタフェース８３０、およびトランシーバ８４０は、内部接続パスを通じて互いに接続される。メモリ８１０は、命令を記憶するように構成される。プロセッサ８２０は、メモリ８１０に記憶された命令を実行して、入力されたデータおよび情報を受信し、かつ、演算結果などのデータを出力するように入出力インタフェース８３０を制御することと、信号を送信するようにトランシーバ８４０を制御することとを行うように構成される。
【手続補正６】
【補正対象書類名】明細書
【補正対象項目名】０２４１
【補正方法】変更
【補正の内容】
【０２４１】
上述の説明は本願の具体的な実装に過ぎず、本願の保護範囲を限定することを意図するものではない。本願で開示する技術的範囲内で当業者が容易に考え付く変形または置換は何れも、本願の保護範囲に含まれるものとする。従って、本願の保護範囲は特許請求の範囲の保護範囲の対象になるものとする。
（項目１）
通信方法であって、
端末デバイスが第１時間単位でのブラインド検出の最大回数を決定する段階であって、上記第１時間単位は１つまたは複数のシンボルである、段階と、
上記端末デバイスがｉ番目のブラインド検出機会に物理ダウンリンク制御チャネル・ブラインド検出を実行する段階であって、上記第１時間単位はＮ回のブラインド検出機会を含み、上記Ｎ回のブラインド検出機会に上記端末デバイスにより実行される物理ダウンリンク制御チャネル・ブラインド検出の回数が、上記ブラインド検出の最大回数より少ないか等しい、段階と
を備え、
ｉおよびＮは正の整数であり、ｉ≦Ｎであり、Ｎ≧２である、
方法。
（項目２）
上記端末デバイスが構成情報を受信する段階を更に備え、上記構成情報は、上記第１時間単位内の各ブラインド検出機会におけるブラインド検出の回数を決定するために使用される、
項目１に記載の方法。
（項目３）
上記端末デバイスが上記ｉ番目のブラインド検出機会に物理ダウンリンク制御チャネル・ブラインド検出を実行する上記段階は、
上記端末デバイスが第１情報に基づいて上記ｉ番目のブラインド検出機会に物理ダウンリンク制御チャネル・ブラインド検出を実行する段階を有し、上記第１情報は、制御リソースセットの構成情報、探索空間タイプ、ダウンリンク制御情報の形式、上記ダウンリンク制御情報に対応する集約レベル、および、同じ集約レベルの複数の物理ダウンリンク制御チャネル候補の開始制御チャネル要素のシリアル番号のうちの少なくとも１つを含む、
項目１または２に記載の方法。
（項目４）
上記第１情報は上記制御リソースセットの構成情報を含み、複数の制御リソースセットが上記ｉ番目のブラインド検出機会に分配され、
上記端末デバイスが物理ダウンリンク制御チャネルの構成情報に基づいて上記ｉ番目のブラインド検出機会に物理ダウンリンク制御チャネル・ブラインド検出を実行する上記段階は、
上記端末デバイスが上記ｉ番目のブラインド検出機会に上記複数の制御リソースセットの優先順位に基づいて上記複数の制御リソースセット上で物理ダウンリンク制御チャネル・ブラインド検出を実行する段階
を含む、
項目３に記載の方法。
（項目５）
上記第１情報は上記制御リソースセットの上記構成情報を含み、上記制御リソースセットは２つのスロットに跨らない、項目３または４に記載の方法。
（項目６）
上記第１情報は上記探索空間タイプを含み、
上記端末デバイスが第１情報に基づいて上記ｉ番目のブラインド検出機会に物理ダウンリンク制御チャネル・ブラインド検出を実行する上記段階は、
上記端末デバイスが上記ｉ番目のブラインド検出機会に探索空間タイプの優先度に基づいて複数の探索空間で物理ダウンリンク制御チャネル・ブラインド検出を実行する段階を含み、上記探索空間タイプは、共通探索空間およびユーザ固有探索空間を含む、
項目３から５の何れか一項に記載の方法。
（項目７）
上記共通探索空間の優先度が上記ユーザ固有探索空間の優先度より高い、項目６に記載の方法。
（項目８）
上記第１情報は上記ダウンリンク制御情報の上記形式を含み、上記ｉ番目のブラインド検出機会には複数のダウンリンク制御情報形式があり、
上記端末デバイスが第１情報に基づいて上記ｉ番目のブラインド検出機会に物理ダウンリンク制御チャネル・ブラインド検出を実行する上記段階は、
上記端末デバイスが上記複数のダウンリンク制御情報形式の優先度に基づいて上記ｉ番目のブラインド検出機会に物理ダウンリンク制御チャネル・ブラインド検出を実行する段階
を含む、
項目３から７の何れか一項に記載の方法。
（項目９）
上記第１情報は上記集約レベルを含み、上記ｉ番目のブラインド検出機会にブラインド検出されるのを待つダウンリンク制御情報に対応する集約レベルが複数あり、
上記端末デバイスが第１情報に基づいて上記ｉ番目のブラインド検出機会に物理ダウンリンク制御チャネル・ブラインド検出を実行する上記段階は、
上記端末デバイスが上記集約レベルに基づいて上記ｉ番目のブラインド検出機会に物理ダウンリンク制御チャネル・ブラインド検出を実行する段階
を含む、
項目３から８の何れか一項に記載の方法。
（項目１０）
上記第１情報は、上記複数の物理ダウンリンク制御チャネル候補の上記開始制御チャネル要素のシリアル番号を含み、上記ｉ番目のブラインド検出機会にブラインド検出されるのを待つダウンリンク制御情報に対応する同じ集約レベルの物理ダウンリンク制御チャネル候補が複数あり、
上記端末デバイスが第１情報に基づいて上記ｉ番目のブラインド検出機会に物理ダウンリンク制御チャネル・ブラインド検出を実行する上記段階は、
上記端末デバイスが上記同じ集約レベルの上記複数の物理ダウンリンク制御チャネル候補の上記開始制御チャネル要素のシリアル番号に基づいて上記ｉ番目のブラインド検出機会に物理ダウンリンク制御チャネル・ブラインド検出を実行する段階
を含む、
項目３から９の何れか一項に記載の方法。
（項目１１）
上記ブラインド検出の最大回数は予め定義されている、項目１から１０の何れか一項に記載の方法。
（項目１２）
上記Ｎ回のブラインド検出機会の何れか２つにおける物理ダウンリンク制御チャネル・ブラインド検出の回数は同じである、または、
上記Ｎ回のブラインド検出機会のうちの少なくとも２つにおける物理ダウンリンク制御チャネル・ブラインド検出の回数は異なる、
項目１から１１の何れか一項に記載の方法。
（項目１３）
通信方法であって、
ネットワークデバイスが構成情報を送信する段階であって、上記構成情報は、第１時間単位内のＮ回のブラインド検出機会の各々におけるブラインド検出の回数を示すために使用され、上記第１時間単位は１つまたは複数のシンボルであり、上記第１時間単位は上記Ｎ回のブラインド検出機会を含み、Ｎは正の整数であり、Ｎ≧２である、段階と、
上記ネットワークデバイスがｉ番目のブラインド検出機会に少なくとも１つの物理ダウンリンク制御チャネルを送信する段階であって、ｉは正の整数であり、ｉ≦Ｎである、段階と
を備える方法。
（項目１４）
上記ネットワークデバイスが上記ｉ番目のブラインド検出機会に少なくとも１つの物理ダウンリンク制御チャネルを送信する上記段階は、
上記ネットワークデバイスが第１情報に基づいて上記ｉ番目のブラインド検出機会に上記少なくとも１つの物理ダウンリンク制御チャネルを送信する段階を有し、上記第１情報は、制御リソースセットの構成情報、探索空間タイプ、ダウンリンク制御情報の形式、上記ダウンリンク制御情報に対応する集約レベル、および、同じ集約レベルの複数の物理ダウンリンク制御チャネル候補の開始制御チャネル要素のシリアル番号のうちの少なくとも１つを含む、
項目１３に記載の方法。
（項目１５）
上記第１情報は上記制御リソースセットの構成情報を含み、複数の制御リソースセットが上記ｉ番目のブラインド検出機会に分配され、
上記ネットワークデバイスが上記ｉ番目のブラインド検出機会に少なくとも１つの物理ダウンリンク制御チャネルを送信する上記段階は、
上記ネットワークデバイスが上記複数の制御リソースセットの優先度に基づいて上記ｉ番目のブラインド検出機会に、利用可能な制御リソースセットを選択し、上記利用可能な制御リソースセットを使用することにより上記少なくとも１つの物理ダウンリンク制御チャネルを送信する段階
を有する、
項目１３に記載の方法。
（項目１６）
上記第１情報は上記制御リソースセットの上記構成情報を含み、上記制御リソースセットは２つのスロットに跨らない、項目１４または１５に記載の方法。
（項目１７）
上記第１情報は上記探索空間タイプを含み、
上記ネットワークデバイスが上記ｉ番目のブラインド検出機会に少なくとも１つの物理ダウンリンク制御チャネルを送信する上記段階は、
上記ネットワークデバイスが上記ｉ番目のブラインド検出機会に探索空間タイプの優先度に基づいて、利用可能な探索空間を選択し、上記利用可能な探索空間を使用することにより上記少なくとも１つの物理ダウンリンク制御チャネルを送信する段階を有し、上記探索空間タイプは、共通探索空間およびユーザ固有探索空間を含む、
項目１４から１６の何れか一項に記載の方法。
（項目１８）
上記共通探索空間の優先度が上記ユーザ固有探索空間の優先度より高い、項目１７に記載の方法。
（項目１９）
上記第１情報は上記ダウンリンク制御情報の上記形式を含み、複数のダウンリンク制御情報形式が、上記ｉ番目のブラインド検出機会に送信されるのを待ち、
上記ネットワークデバイスが上記ｉ番目のブラインド検出機会に少なくとも１つの物理ダウンリンク制御チャネルを送信する上記段階は、
上記ネットワークデバイスが上記複数のダウンリンク制御情報形式の優先度に基づいて上記ｉ番目のブラインド検出機会に上記少なくとも１つの物理ダウンリンク制御チャネルを送信する段階
を有する、
項目１４から１８の何れか一項に記載の方法。
（項目２０）
上記第１情報は上記集約レベルを含み、上記ｉ番目のブラインド検出機会には、同じダウンリンク制御情報形式について複数の集約レベルが構成され、
上記ネットワークデバイスが上記ｉ番目のブラインド検出機会に少なくとも１つの物理ダウンリンク制御チャネルを送信する上記段階は、
上記ネットワークデバイスが、上記ｉ番目のブラインド検出機会に、上記同じダウンリンク制御情報形式に対応する上記複数の集約レベルに基づいて、利用可能な集約レベルを選択し、上記利用可能な集約レベルを使用することにより上記少なくとも１つの物理ダウンリンク制御チャネルを送信する段階
を有する、
項目１４から１９の何れか一項に記載の方法。
（項目２１）
上記第１情報は上記同じ集約レベルの上記複数の物理ダウンリンク制御チャネル候補の上記開始制御チャネル要素の上記シリアル番号を含み、上記ｉ番目のブラインド検出機会にブラインド検出されるのを待つダウンリンク制御情報に対応する同じ集約レベルの物理ダウンリンク制御チャネル候補が複数あり、
上記ネットワークデバイスが上記ｉ番目のブラインド検出機会に少なくとも１つの物理ダウンリンク制御チャネルを送信する上記段階は、
上記ネットワークデバイスが上記複数の物理ダウンリンク制御チャネル候補の上記開始制御チャネル要素の上記シリアル番号に基づいて、利用可能な物理ダウンリンク制御チャネル候補を決定し、上記利用可能な物理ダウンリンク制御チャネル候補を使用することにより上記少なくとも１つの物理ダウンリンク制御チャネルを送信する段階
を有する、
項目１４から２０の何れか一項に記載の方法。
（項目２２）
端末デバイスであって、
第１時間単位でのブラインド検出の最大回数を決定するように構成される決定モジュールであって、上記第１時間単位は１つまたは複数のシンボルである、決定モジュールと、
ｉ番目のブラインド検出機会に物理ダウンリンク制御チャネル・ブラインド検出を実行するように構成されるブラインド検出モジュールであって、上記第１時間単位はＮ回のブラインド検出機会を含み、上記Ｎ回のブラインド検出機会に上記ブラインド検出モジュールにより実行される物理ダウンリンク制御チャネル・ブラインド検出の回数が上記ブラインド検出の最大回数より少ないか等しい、ブラインド検出モジュールと
を備え、
ｉおよびＮは正の整数であり、ｉ≦Ｎであり、Ｎ≧２である、
端末デバイス。
（項目２３）
上記端末デバイスは更に、構成情報を受信するように構成される受信モジュールであって、上記構成情報は、上記第１時間単位内の各ブラインド検出機会におけるブラインド検出の回数を決定するために使用される、受信モジュールを備える、項目２２に記載の端末デバイス。
（項目２４）
上記ブラインド検出モジュールは具体的に、第１情報に基づいて上記ｉ番目のブラインド検出機会に物理ダウンリンク制御チャネル・ブラインド検出を実行するように構成され、上記第１情報は、制御リソースセットの構成情報、探索空間タイプ、ダウンリンク制御情報の形式、上記ダウンリンク制御情報に対応する集約レベル、および、同じ集約レベルの複数の物理ダウンリンク制御チャネル候補の開始制御チャネル要素のシリアル番号のうちの少なくとも１つを含む、項目２２または２３に記載の端末デバイス。
（項目２５）
上記第１情報は上記制御リソースセットの構成情報を含み、複数の制御リソースセットが上記ｉ番目のブラインド検出機会に分配され、
上記ブラインド検出モジュールは具体的に、上記ｉ番目のブラインド検出機会に上記複数の制御リソースセットの優先度に基づいて上記複数の制御リソースセット上で物理ダウンリンク制御チャネル・ブラインド検出を実行するように構成される、
項目２４に記載の端末デバイス。
（項目２６）
上記第１情報は上記制御リソースセットの上記構成情報を含み、上記制御リソースセットは２つのスロットに跨らない、項目２４または２５に記載の端末デバイス。
（項目２７）
上記第１情報は上記探索空間タイプを含み、
上記ブラインド検出モジュールは具体的に、上記ｉ番目のブラインド検出機会に探索空間タイプの優先度に基づいて複数の探索空間で物理ダウンリンク制御チャネル・ブラインド検出を実行するように構成され、上記探索空間タイプは、共通探索空間およびユーザ固有探索空間を含む、
項目２４から２６の何れか一項に記載の端末デバイス。
（項目２８）
上記共通探索空間の優先度が上記ユーザ固有探索空間の優先度より高い、項目２７に記載の端末デバイス。
（項目２９）
上記第１情報は上記ダウンリンク制御情報の上記形式を含み、上記ｉ番目のブラインド検出機会には複数のダウンリンク制御情報形式があり、
上記ブラインド検出モジュールは具体的に、上記複数のダウンリンク制御情報形式の優先度に基づいて上記ｉ番目のブラインド検出機会に物理ダウンリンク制御チャネル・ブラインド検出を実行するように構成される、
項目２４から２８の何れか一項に記載の端末デバイス。
（項目３０）
上記第１情報は上記集約レベルを含み、上記ｉ番目のブラインド検出機会にブラインド検出されるのを待つダウンリンク制御情報に対応する集約レベルが複数あり、
上記ブラインド検出モジュールは具体的に、上記集約レベルに基づいて上記ｉ番目のブラインド検出機会に物理ダウンリンク制御チャネル・ブラインド検出を実行するように構成される、
項目２４から２９の何れか一項に記載の端末デバイス。
（項目３１）
上記第１情報は上記複数の物理ダウンリンク制御チャネル候補の上記開始制御チャネル要素の上記シリアル番号を含み、上記ｉ番目のブラインド検出機会にブラインド検出されるのを待つダウンリンク制御情報に対応する同じ集約レベルの物理ダウンリンク制御チャネル候補が複数あり、
上記ブラインド検出モジュールは具体的に、上記同じ集約レベルの上記複数の物理ダウンリンク制御チャネル候補の上記開始制御チャネル要素のシリアル番号に基づいて上記ｉ番目のブラインド検出機会に物理ダウンリンク制御チャネル・ブラインド検出を実行するように構成される、
項目２４から３０の何れか一項に記載の端末デバイス。
（項目３２）
上記ブラインド検出の最大回数は予め定義されている、項目２２から３１の何れか一項に記載の端末デバイス。
（項目３３）
上記Ｎ回のブラインド検出機会の何れか２つにおける物理ダウンリンク制御チャネル・ブラインド検出の回数は同じである、または、
上記Ｎ回のブラインド検出機会のうちの少なくとも２つにおける物理ダウンリンク制御チャネル・ブラインド検出の回数は異なる、
項目２２から３２の何れか一項に記載の端末デバイス。
（項目３４）
ネットワークデバイスであって、
構成情報を送信するように構成される送信モジュールであって、上記構成情報は、第１時間単位内のＮ回のブラインド検出機会の各々におけるブラインド検出の回数を示すために使用され、上記第１時間単位は１つまたは複数のシンボルであり、上記第１時間単位は上記Ｎ回のブラインド検出機会を含み、Ｎは正の整数であり、Ｎ≧２である、送信モジュール
を備え、
上記送信モジュールは更に、上記Ｎ回のブラインド検出機会のうちのｉ番目のブラインド検出機会に少なくとも１つの物理ダウンリンク制御チャネルを送信するように構成され、ｉは正の整数であり、ｉ≦Ｎである、
ネットワークデバイス。
（項目３５）
上記送信モジュールは具体的に、第１情報に基づいて上記ｉ番目のブラインド検出機会に上記少なくとも１つの物理ダウンリンク制御チャネルを送信するように構成され、上記第１情報は、制御リソースセットの構成情報、探索空間タイプ、ダウンリンク制御情報の形式、上記ダウンリンク制御情報に対応する集約レベル、および、同じ集約レベルの複数の物理ダウンリンク制御チャネル候補の開始制御チャネル要素のシリアル番号のうちの少なくとも１つを含む、項目３４に記載のネットワークデバイス。
（項目３６）
上記第１情報は上記制御リソースセットの構成情報を含み、複数の制御リソースセットが上記ｉ番目のブラインド検出機会に分配され、
上記送信モジュールは具体的に、上記複数の制御リソースセットの優先度の高い順に基づいて上記ｉ番目のブラインド検出機会に、利用可能な制御リソースセットを選択し、上記利用可能な制御リソースセットを使用することにより上記少なくとも１つの物理ダウンリンク制御チャネルを送信するように構成される、
項目３４に記載のネットワークデバイス。
（項目３７）
上記第１情報は上記制御リソースセットの上記構成情報を含み、上記制御リソースセットは２つのスロットに跨らない、項目３５または３６に記載のネットワークデバイス。
（項目３８）
上記第１情報は上記探索空間タイプを含み、
上記送信モジュールは具体的に、上記ｉ番目のブラインド検出機会に探索空間タイプの優先度に基づいて、利用可能な探索空間を選択し、上記利用可能な探索空間を使用することにより上記少なくとも１つの物理ダウンリンク制御チャネルを送信するように構成され、上記探索空間タイプは、共通探索空間およびユーザ固有探索空間を含む、
項目３５から３７の何れか一項に記載のネットワークデバイス。
（項目３９）
上記共通探索空間の優先度が上記ユーザ固有探索空間の優先度より高い、項目３８に記載のネットワークデバイス。
（項目４０）
上記第１情報は上記ダウンリンク制御情報の上記形式を含み、複数のダウンリンク制御情報形式が上記ｉ番目のブラインド検出機会に送信される必要があり、
上記送信モジュールは具体的に、上記複数のダウンリンク制御情報形式の優先度に基づいて上記ｉ番目のブラインド検出機会に上記少なくとも１つの物理ダウンリンク制御チャネルを送信するように構成される、
項目３５から３９の何れか一項に記載のネットワークデバイス。
（項目４１）
上記第１情報は上記集約レベルを含み、上記ｉ番目のブラインド検出機会には、同じダウンリンク制御情報形式について複数の集約レベルが構成され、
上記送信モジュールは具体的に、上記ｉ番目のブラインド検出機会に、上記同じダウンリンク制御情報形式に対応する上記複数の集約レベルに基づいて、利用可能な集約レベルを選択し、上記利用可能な集約レベルを使用することにより上記少なくとも１つの物理ダウンリンク制御チャネルを送信するように構成される、
項目３５から４０の何れか一項に記載のネットワークデバイス。
（項目４２）
上記第１情報は上記同じ集約レベルの上記複数の物理ダウンリンク制御チャネル候補の上記開始制御チャネル要素の上記シリアル番号を含み、上記ｉ番目のブラインド検出機会にブラインド検出されるのを待つダウンリンク制御情報に対応する同じ集約レベルの物理ダウンリンク制御チャネル候補が複数あり、
上記送信モジュールは具体的に、上記複数の物理ダウンリンク制御チャネル候補の上記開始制御チャネル要素のシリアル番号に基づいて、利用可能な物理ダウンリンク制御チャネル候補を決定し、上記利用可能な物理ダウンリンク制御チャネル候補を使用することにより上記少なくとも１つの物理ダウンリンク制御チャネルを送信するように構成される、
項目３５から４１の何れか一項に記載のネットワークデバイス。
（項目４３）
命令を記憶するコンピュータ記憶媒体であって、上記命令がコンピュータで実行されると、上記コンピュータに、項目１から２１の何れか一項に記載の方法を実行させることができる、コンピュータ記憶媒体。
（項目４４）
コンピュータプログラムコードを備えるコンピュータプログラム製品であって、上記コンピュータプログラムコードがコンピュータで実行されると、上記コンピュータに、項目１から２１の何れか一項に記載の方法を実行させることができる、コンピュータプログラム製品。
（項目４５）
コンピュータで実行可能なプログラムコードを記憶するように構成されるメモリと、通信インタフェースと、プロセッサとを備える通信装置であって、上記プロセッサは上記メモリおよび上記通信インタフェースに結合され、上記メモリに記憶された上記プログラムコードは命令を含み、上記プロセッサが上記命令を実行すると、上記通信装置に、項目１から１２の何れか一項に記載の方法を実行させることができる、通信装置。
（項目４６）
コンピュータで実行可能なプログラムコードを記憶するように構成されるメモリと、通信インタフェースと、プロセッサとを備える通信装置であって、上記プロセッサは上記メモリおよび上記通信インタフェースに結合され、上記メモリに記憶された上記プログラムコードは命令を含み、上記プロセッサが上記命令を実行すると、上記通信装置に、項目１３から２１の何れか一項に記載の方法を実行させることができる、通信装置。
（項目４７）
トランシーバと、プロセッサと、メモリとを備える端末デバイスであって、上記端末デバイスが項目１から１２の何れか一項に記載の方法を実行するように、上記プロセッサは、上記トランシーバを制御して信号を送受信するように構成され、上記メモリは、コンピュータプログラムを記憶するように構成され、上記プロセッサは、上記メモリから上記コンピュータプログラムを呼び出し、上記コンピュータプログラムを実行するように構成される、端末デバイス。
（項目４８）
トランシーバと、プロセッサと、メモリとを備えるネットワークデバイスであって、上記ネットワークデバイスが項目１３から２１の何れか一項に記載の方法を実行するように、上記プロセッサは、上記トランシーバを制御して信号を送受信するように構成され、上記メモリは、コンピュータプログラムを記憶するように構成され、上記プロセッサは、上記メモリから上記コンピュータプログラムを呼び出し、上記コンピュータプログラムを実行するように構成される、ネットワークデバイス。
【国際調査報告】
2020533834.tif 000018
2020533834.tif 000019
2020533834.tif 000020
2020533834.tif 000021
2020533834.tif 000022
2020533834.tif 000023